(57)【特許請求の範囲】
【請求項１】
低コヒーレンス光を出力する光源と、
前記低コヒーレンス光を信号光と参照光とに分割し、眼底を経由した前記信号光と参照物体を経由した参照光とを重畳させて干渉光を生成する干渉光生成手段と、
前記干渉光を検出して検出信号を生成する検出手段と、
前記検出信号に基づいて前記眼底の断層画像を形成する画像形成手段と、
前記断層画像に基づいて断層画像の断面における眼底の層厚分布を演算する演算手段と、
前記断層画像に基づいて断層画像中の血管領域を特定する特定手段と、
表示手段と、
前記層厚分布を表す層厚分布情報を前記表示手段に表示させるとともに、前記血管領域の位置を表す血管位置情報を前記層厚分布情報上に表示させる制御手段と、
を備えることを特徴とする眼底観察装置。
【請求項２】
低コヒーレンス光を出力する光源と、
前記低コヒーレンス光を信号光と参照光とに分割し、眼底を経由した前記信号光と参照物体を経由した参照光とを重畳させて干渉光を生成する干渉光生成手段と、
前記干渉光を検出して検出信号を生成する検出手段と、
前記検出信号に基づいて前記眼底の断層画像を形成する画像形成手段と、
前記眼底の表面の２次元画像を撮影する撮影手段と、
前記断層画像に基づいて断層画像の断面における眼底の層厚分布を演算する演算手段と、
前記２次元画像に基づいて前記眼底における血管の走行位置を表す走行位置情報を求め、前記走行位置情報に基づいて断層画像中の血管領域を特定する特定手段と、
表示手段と、
前記層厚分布を表す層厚分布情報を前記表示手段に表示させるとともに、前記血管領域の位置を表す血管位置情報を前記層厚分布情報上に表示させる制御手段と、
を備えることを特徴とする眼底観察装置。
【請求項３】
前記制御手段は、前記層厚分布情報及び前記血管位置情報とともに断層画像を表示させる、
ことを特徴とする請求項１又は請求項２に記載の眼底観察装置。
【請求項４】
前記制御手段は、前記層厚分布情報上の血管位置情報と断層画像中の血管領域とを、互いの表示位置を対応づけて表示させる、
ことを特徴とする請求項３に記載の眼底観察装置。
【請求項５】
前記制御手段は、前記断面に沿って横軸が定義され層厚の値を縦軸とするグラフを前記層厚分布情報として表示させ、前記血管領域の位置を表す血管位置画像を前記血管位置情報として表示させる、
ことを特徴とする請求項１又は請求項２に記載の眼底観察装置。
【請求項６】
前記制御手段は、前記グラフに合わせた表示サイズの断層画像を前記グラフとともに表示させ、該断層画像中の血管領域に対応する前記グラフ上の位置に前記血管位置画像を表示させる、
ことを特徴とする請求項５に記載の眼底観察装置。
【請求項７】
前記演算手段は、前記眼底の断層画像に基づいて断層画像中の所定の層位置を特定し、
前記特定手段は、前記所定の層位置上の画素に対して前記眼底の深度方向に位置する複数の画素を抽出し、前記複数の画素の画素値のばらつきを表す統計値を算出し、前記統計値が所定範囲に含まれる前記所定の層位置上の画素を特定し、該特定された画素に基づいて前記血管領域を特定する、
ことを特徴とする請求項１に記載の眼底観察装置。
【請求項８】
前記画像形成手段は、断面位置の異なる複数の断層画像を形成し、
前記特定手段は、前記複数の断層画像をそれぞれ前記眼底の深度方向に積算して積算画像を形成し、前記積算画像に基づいて前記眼底における血管の走行位置を表す走行位置情報を求め、前記走行位置情報に基づいて前記血管領域を特定する、
ことを特徴とする請求項１に記載の眼底観察装置。
【請求項９】
前記画像形成手段は、断面位置の異なる複数の断層画像を形成し、
前記特定手段は、前記複数の断層画像を前記眼底の深度方向に積算して積算画像を形成し、前記２次元画像と前記積算画像とを位置合わせし、前記位置合わせの結果に基づいて、前記走行位置情報に示す前記２次元画像中の画像領域に対応する前記積算画像中における画像領域を特定し、前記積算画像中の画像領域と断層画像の断面との交差領域を特定し、前記交差位置を含むように前記血管領域を設定する、
ことを特徴とする請求項２に記載の眼底観察装置。
【請求項１０】
前記画像形成手段は、断面位置の異なる複数の断層画像を形成し、前記複数の断層画像に基づいて新たな断面位置における断層画像を形成し、
前記演算手段は、前記新たな断層画像に基づいて前記新たな断面における眼底の層厚分布を演算し、
前記特定手段は、前記複数の断層画像に基づいて、前記新たな断層画像中の血管領域を特定し、
前記制御手段は、前記新たな血管領域の位置を表す血管位置情報を、前記新たな層厚分布を表す層厚分布情報上に表示させる、
ことを特徴とする請求項１又は請求項２に記載の眼底観察装置。
【請求項１１】
前記制御手段は、前記新たな層厚分布情報及び前記新たな血管位置情報とともに前記新たな断層画像を表示させる、
ことを特徴とする請求項１０に記載の眼底観察装置。
【請求項１２】
眼底の断層画像を受け付ける受付手段と、
前記断層画像に基づいて断層画像の断面における眼底の層厚分布を演算する演算手段と、
前記断層画像に基づいて断層画像中の血管領域を特定する特定手段と、
表示手段と、
前記層厚分布を表す層厚分布情報を前記表示手段に表示させるとともに、前記血管領域の位置を表す血管位置情報を前記層厚分布情報上に表示させる制御手段と、
を備えることを特徴とする眼科画像処理装置。
【請求項１３】
眼底の断層画像と前記眼底の表面の２次元画像とを受け付ける受付手段と、
前記断層画像に基づいて断層画像の断面における眼底の層厚分布を演算する演算手段と、
前記２次元画像に基づいて前記眼底における血管の走行位置を表す走行位置情報を求め、前記走行位置情報に基づいて断層画像中の血管領域を特定する特定手段と、
表示手段と、
前記層厚分布を表す層厚分布情報を前記表示手段に表示させるとともに、前記血管領域の位置を表す血管位置情報を前記層厚分布情報上に表示させる制御手段と、
を備えることを特徴とする眼科画像処理装置。
【請求項１４】
眼底の断層画像を受け付ける受付手段と、表示手段とを有するコンピュータを、
前記断層画像に基づいて断層画像の断面における眼底の層厚分布を演算する演算手段、
前記断層画像に基づいて断層画像中の血管領域を特定する特定手段、及び、
前記層厚分布を表す層厚分布情報を前記表示手段に表示させるとともに、前記血管領域の位置を表す血管位置情報を前記層厚分布情報上に表示させる制御手段として機能させる、
ことを特徴とするプログラム。
【請求項１５】
眼底の断層画像と前記眼底の表面の２次元画像とを受け付ける受付手段と、表示手段とを有するコンピュータを、
前記断層画像に基づいて断層画像の断面における眼底の層厚分布を演算する演算手段、
前記２次元画像に基づいて前記眼底における血管の走行位置を表す走行位置情報を求め、前記走行位置情報に基づいて断層画像中の血管領域を特定する特定手段、及び、
前記層厚分布を表す層厚分布情報を前記表示手段に表示させるとともに、前記血管領域の位置を表す血管位置情報を前記層厚分布情報上に表示させる制御手段として機能させる、
ことを特徴とするプログラム。
【発明の詳細な説明】
【技術分野】
【０００１】
この発明は、眼底に低コヒーレンス光を照射し、その反射光に基づく干渉光を検出して眼底の画像を形成する眼底観察装置、眼底の画像を処理する眼科画像処理装置、眼底の画像の処理をコンピュータに実行させるプログラムに関する。
【背景技術】
【０００２】
近年、レーザ光源等からの光ビームを用いて被測定物体の表面形態や内部形態を表す画像を形成する光画像計測技術が注目を集めている。この光画像計測技術は、Ｘ線ＣＴ装置のような人体に対する侵襲性を持たないことから、特に医療分野における応用の展開が期待されている。
【０００３】
特許文献１には、測定腕が回転式転向鏡（ガルバノミラー）により物体を走査し、参照腕に参照ミラーが設置されており、さらにその出口では、計測腕及び参照腕からの光束の干渉によって現れる光の強度が分光器で分析もされるという干渉器が利用されていて、参照腕には参照光光束位相を不連続な値で段階的に変える装置が設けられた構成の光画像計測装置が開示されている。
【０００４】
特許文献１の光画像計測装置は、いわゆる「フーリエドメインＯＣＴ（Ｆｏｕｒｉｅｒ  Ｄｏｍａｉｎ  Ｏｐｔｉｃａｌ  Ｃｏｈｅｒｅｎｃｅ  Ｔｏｍｏｇｒａｐｈｙ）」の手法を用いるものである。すなわち、被測定物体に対して低コヒーレンス光のビームを照射し、その反射光のスペクトル強度分布を取得し、それをフーリエ変換することにより、被測定物体の深度方向（ｚ方向）の形態を画像化するものである。
【０００５】
更に、特許文献１に記載の光画像計測装置は、光ビーム（信号光）を走査するガルバノミラーを備え、それにより被測定物体の所望の測定対象領域の画像を形成できるようになっている。なお、この光画像計測装置においては、ｚ方向に直交する１方向（ｘ方向）にのみ光ビームを走査するようになっているので、形成される画像は、光ビームの走査方向（ｘ方向）に沿った深度方向（ｚ方向）の２次元断層画像となる。
【０００６】
特許文献２には、信号光を水平方向及び垂直方向に走査することにより水平方向の２次元断層画像を複数形成し、これら複数の断層画像に基づいて測定範囲の３次元の断層情報を取得して画像化する技術が開示されている。この３次元画像化としては、たとえば、複数の断層画像を垂直方向に並べて表示させる方法や（スタックデータなどと呼ばれる）、複数の断層画像にレンダリング処理を施して３次元画像を形成する方法などが考えられる。
【０００７】
特許文献３には、このような光画像計測装置を眼科分野に適用した構成が開示されている。眼科分野においては、光画像計測装置は、特に眼底を観察するための眼底観察装置として用いられる。眼底には、網膜や脈絡膜といった層が存在する。また、網膜には、眼底表面側から深度方向に向かって順に、内境界膜、神経繊維層、神経節細胞層、内網状層、内顆粒層、外網状層、外顆粒層、外境界膜、視細胞層、網膜色素上皮層が存在する。眼底観察装置は、これらの層の形態を表す断層画像を取得するために用いられる。また、この断層画像に基づいて層の厚さを解析することができる。層厚の解析結果は、たとえば、断面位置に沿ったグラフとして表示される。
【０００８】
特許文献４には、被測定物体に照射される光の波長を走査しつつ計測を行う光画像計測装置が記載されている。このような光画像計測装置は、スウェプトソース（Ｓｗｅｐｔ  Ｓｏｕｒｃｅ）タイプなどと呼ばれる。
【０００９】
【特許文献１】特開平１１−３２５８４９号公報
【特許文献２】特開２００２−１３９４２１号公報
【特許文献３】特開２００３−５４３号公報
【特許文献４】特開２００７−２４６７７号公報
【発明の開示】
【発明が解決しようとする課題】
【００１０】
眼底には多数の血管が存在する。血管の配置は、眼底の状態を把握するために重要である。しかし、眼底観察装置により得られる断層画像においては、血管に相当する画像領域（その下部領域も含む：まとめて血管領域と呼ぶことがある）は明瞭に描写されない。したがって、血管領域については層の厚さを高い確度で解析することは不可能である。
【００１１】
従来の眼底観察装置では、血管の位置を層厚の解析結果に反映させられなかったため、解析範囲内のどの部分が血管領域に相当するか把握することは困難であった。それにより、層厚を参照して行う診断において、診断精度が低下するおそれがあった。
【００１２】
この発明は、このような問題を解決するためになされたもので、眼底の層厚の解析結果中のどの部分が血管領域を解析して得られた部分であるかを明示することが可能な眼底観察装置、眼科画像処理装置及びプログラムを提供することを目的とする。
【課題を解決するための手段】
【００１３】
上記目的を達成するために、請求項１に記載の発明は、低コヒーレンス光を出力する光源と、前記低コヒーレンス光を信号光と参照光とに分割し、眼底を経由した前記信号光と参照物体を経由した参照光とを重畳させて干渉光を生成する干渉光生成手段と、前記干渉光を検出して検出信号を生成する検出手段と、前記検出信号に基づいて前記眼底の断層画像を形成する画像形成手段と、前記断層画像に基づいて断層画像の断面における眼底の層厚分布を演算する演算手段と、前記断層画像に基づいて断層画像中の血管領域を特定する特定手段と、表示手段と、前記層厚分布を表す層厚分布情報を前記表示手段に表示させるとともに、前記血管領域の位置を表す血管位置情報を前記層厚分布情報上に表示させる制御手段と、を備えることを特徴とする眼底観察装置である。
【００１４】
また、請求項２に記載の発明は、低コヒーレンス光を出力する光源と、前記低コヒーレンス光を信号光と参照光とに分割し、眼底を経由した前記信号光と参照物体を経由した参照光とを重畳させて干渉光を生成する干渉光生成手段と、前記干渉光を検出して検出信号を生成する検出手段と、前記検出信号に基づいて前記眼底の断層画像を形成する画像形成手段と、前記眼底の表面の２次元画像を撮影する撮影手段と、前記断層画像に基づいて断層画像の断面における眼底の層厚分布を演算する演算手段と、前記２次元画像に基づいて前記眼底における血管の走行位置を表す走行位置情報を求め、前記走行位置情報に基づいて断層画像中の血管領域を特定する特定手段と、表示手段と、前記層厚分布を表す層厚分布情報を前記表示手段に表示させるとともに、前記血管領域の位置を表す血管位置情報を前記層厚分布情報上に表示させる制御手段と、を備えることを特徴とする眼底観察装置である。
【００１５】
また、請求項３に記載の発明は、請求項１又は請求項２に記載の眼底観察装置であって、前記制御手段は、前記層厚分布情報及び前記血管位置情報とともに断層画像を表示させる、ことを特徴とする。
【００１６】
また、請求項４に記載の発明は、請求項３に記載の眼底観察装置であって、前記制御手段は、前記層厚分布情報上の血管位置情報と断層画像中の血管領域とを、互いの表示位置を対応づけて表示させる、ことを特徴とする。
【００１７】
また、請求項５に記載の発明は、請求項１又は請求項２に記載の眼底観察装置であって、前記制御手段は、前記断面に沿って横軸が定義され層厚の値を縦軸とするグラフを前記層厚分布情報として表示させ、前記血管領域の位置を表す血管位置画像を前記血管位置情報として表示させる、ことを特徴とする。
【００１８】
また、請求項６に記載の発明は、請求項５に記載の眼底観察装置であって、前記制御手段は、前記グラフに合わせた表示サイズの断層画像を前記グラフとともに表示させ、該断層画像中の血管領域に対応する前記グラフ上の位置に前記血管位置画像を表示させる、ことを特徴とする。
【００１９】
また、請求項７に記載の発明は、請求項１に記載の眼底観察装置であって、前記演算手段は、前記眼底の断層画像に基づいて断層画像中の所定の層位置を特定し、前記特定手段は、前記所定の層位置上の画素に対して前記眼底の深度方向に位置する複数の画素を抽出し、前記複数の画素の画素値のばらつきを表す統計値を算出し、前記統計値が所定範囲に含まれる前記所定の層位置上の画素を特定し、該特定された画素に基づいて前記血管領域を特定する、ことを特徴とする。
【００２０】
また、請求項８に記載の発明は、請求項１に記載の眼底観察装置であって、前記画像形成手段は、断面位置の異なる複数の断層画像を形成し、前記特定手段は、前記複数の断層画像をそれぞれ前記眼底の深度方向に積算して積算画像を形成し、前記積算画像に基づいて前記眼底における血管の走行位置を表す走行位置情報を求め、前記走行位置情報に基づいて前記血管領域を特定する、ことを特徴とする。
【００２１】
また、請求項９に記載の発明は、請求項２に記載の眼底観察装置であって、前記画像形成手段は、断面位置の異なる複数の断層画像を形成し、前記特定手段は、前記複数の断層画像を前記眼底の深度方向に積算して積算画像を形成し、前記２次元画像と前記積算画像とを位置合わせし、前記位置合わせの結果に基づいて、前記走行位置情報に示す前記２次元画像中の画像領域に対応する前記積算画像中における画像領域を特定し、前記積算画像中の画像領域と断層画像の断面との交差領域を特定し、前記交差位置を含むように前記血管領域を設定する、ことを特徴とする。
【００２２】
また、請求項１０に記載の発明は、請求項１又は請求項２に記載の眼底観察装置であって、前記画像形成手段は、断面位置の異なる複数の断層画像を形成し、前記複数の断層画像に基づいて新たな断面位置における断層画像を形成し、前記演算手段は、前記新たな断層画像に基づいて前記新たな断面における眼底の層厚分布を演算し、前記特定手段は、前記複数の断層画像に基づいて、前記新たな断層画像中の血管領域を特定し、前記制御手段は、前記新たな血管領域の位置を表す血管位置情報を、前記新たな層厚分布を表す層厚分布情報上に表示させる、ことを特徴とする。
【００２３】
また、請求項１１に記載の発明は、請求項１０に記載の眼底観察装置であって、前記制御手段は、前記新たな層厚分布情報及び前記新たな血管位置情報とともに前記新たな断層画像を表示させる、ことを特徴とする。
【００２４】
また、請求項１２に記載の発明は、眼底の断層画像を受け付ける受付手段と、前記断層画像に基づいて断層画像の断面における眼底の層厚分布を演算する演算手段と、前記断層画像に基づいて断層画像中の血管領域を特定する特定手段と、表示手段と、前記層厚分布を表す層厚分布情報を前記表示手段に表示させるとともに、前記血管領域の位置を表す血管位置情報を前記層厚分布情報上に表示させる制御手段と、を備えることを特徴とする眼科画像処理装置である。
【００２５】
また、請求項１３に記載の発明は、眼底の断層画像と前記眼底の表面の２次元画像とを受け付ける受付手段と、前記断層画像に基づいて断層画像の断面における眼底の層厚分布を演算する演算手段と、前記２次元画像に基づいて前記眼底における血管の走行位置を表す走行位置情報を求め、前記走行位置情報に基づいて断層画像中の血管領域を特定する特定手段と、表示手段と、前記層厚分布を表す層厚分布情報を前記表示手段に表示させるとともに、前記血管領域の位置を表す血管位置情報を前記層厚分布情報上に表示させる制御手段と、を備えることを特徴とする眼科画像処理装置である。
【００２６】
また、請求項１４に記載の発明は、眼底の断層画像を受け付ける受付手段と、表示手段とを有するコンピュータを、前記断層画像に基づいて断層画像の断面における眼底の層厚分布を演算する演算手段、前記断層画像に基づいて断層画像中の血管領域を特定する特定手段、及び、前記層厚分布を表す層厚分布情報を前記表示手段に表示させるとともに、前記血管領域の位置を表す血管位置情報を前記層厚分布情報上に表示させる制御手段として機能させる、ことを特徴とするプログラムである。
【００２７】
また、請求項１５に記載の発明は、眼底の断層画像と前記眼底の表面の２次元画像とを受け付ける受付手段と、表示手段とを有するコンピュータを、前記断層画像に基づいて断層画像の断面における眼底の層厚分布を演算する演算手段、前記２次元画像に基づいて前記眼底における血管の走行位置を表す走行位置情報を求め、前記走行位置情報に基づいて断層画像中の血管領域を特定する特定手段、及び、前記層厚分布を表す層厚分布情報を前記表示手段に表示させるとともに、前記血管領域の位置を表す血管位置情報を前記層厚分布情報上に表示させる制御手段として機能させる、ことを特徴とするプログラムである。
【発明の効果】
【００２８】
この発明によれば、眼底の断層画像に基づいて断層画像の断面における眼底の層厚分布を演算し、断層画像に基づいて断層画像中の血管領域を特定し、当該層厚分布を表す層厚分布情報を表示させるとともに、当該血管領域の位置を表す血管位置情報を当該層厚分布情報上に表示させることができるので、眼底の層厚の解析結果中のどの部分が血管領域を解析して得られた部分であるかを明示することが可能である。
【００２９】
また、この発明によれば、眼底の断層画像に基づいて断層画像の断面における眼底の層厚分布を演算し、眼底表面の２次元画像に基づいて眼底における血管の走行位置を表す走行位置情報を求め、この走行位置情報に基づいて断層画像中の血管領域を特定し、当該層厚分布を表す層厚分布情報を表示させるとともに、当該血管領域の位置を表す血管位置情報を当該層厚分布情報上に表示させることができるので、眼底の層厚の解析結果中のどの部分が血管領域を解析して得られた部分であるかを明示することが可能である。
【発明を実施するための最良の形態】
【００３０】
この発明に係る眼底観察装置、眼科画像処理装置及びプログラムの実施形態の一例について、図面を参照しながら詳細に説明する。
【００３１】
この発明に係る眼底観察装置は、ＯＣＴ技術を適用して眼底の断層画像や３次元画像を形成する装置である。更に、この眼底観察装置は、取得された画像に基づいて眼底の層厚を解析する機能を有する。
【００３２】
この眼底観察装置に適用される計測手法には、フーリエドメインタイプ、スウェプトソースタイプなどがある。この実施形態では、フーリエドメインタイプについて特に詳しく説明する。
【００３３】
また、この発明に係る眼科画像処理装置は、ＯＣＴ技術を適用して取得された眼底の画像に基づいて眼底の層厚を解析する装置である。また、この発明に係るプログラムは、眼底の層厚の解析処理をコンピュータに実行させるものである。
【００３４】
［全体構成］
図１に示す眼底観察装置１は、眼底カメラユニット１Ａ、ＯＣＴユニット１５０及び演算制御装置２００を含んで構成される。眼底カメラユニット１Ａは、従来の眼底カメラとほぼ同様の光学系を有する。なお、眼底カメラは、眼底表面の２次元画像を撮影する装置である。ＯＣＴユニット１５０は、ＯＣＴ画像を取得するための光学系を格納している。演算制御装置２００は、各種の演算処理や制御処理等を実行するコンピュータを具備している。
【００３５】
ＯＣＴユニット１５０には、接続線１５２の一端が取り付けられている。接続線１５２の他端には、眼底カメラユニット１Ａに接続されるコネクタ部１５１が取り付けられている。接続線１５２の内部には光ファイバが導通されている。このように、ＯＣＴユニット１５０と眼底カメラユニット１Ａは、接続線１５２を介して光学的に接続されている。
【００３６】
〔眼底カメラユニットの構成〕
眼底カメラユニット１Ａは、眼底表面の２次元画像を形成するための光学系を有する。ここで、眼底表面の２次元画像とは、眼底表面を撮影したカラー画像やモノクロ画像、更には蛍光画像（フルオレセイン蛍光画像、インドシアニングリーン蛍光画像等）などを表す。眼底カメラユニット１Ａは、従来の眼底カメラと同様に、眼底Ｅｆを照明する照明光学系１００と、この照明光の眼底反射光を撮像装置１０に導く撮影光学系１２０とを備えている。照明光学系１００と撮影光学系１２０は、この発明の「撮影手段」の一例である。
【００３７】
なお、詳細は後述するが、撮影光学系１２０の撮像装置１０は、近赤外領域の波長を有する照明光を検出する。また、撮影光学系１２０には、可視領域の波長を有する照明光を検出する撮像装置１２が別途設けられている。更に、撮影光学系１２０は、ＯＣＴユニット１５０からの信号光を眼底Ｅｆに導くとともに、眼底Ｅｆを経由した信号光をＯＣＴユニット１５０に導くように作用する。
【００３８】
照明光学系１００は、観察光源１０１、コンデンサレンズ１０２、撮影光源１０３、コンデンサレンズ１０４、エキサイタフィルタ１０５及び１０６、リング透光板１０７、ミラー１０８、ＬＣＤ（Ｌｉｑｕｉｄ  Ｃｒｙｓｔａｌ  Ｄｉｓｐｌａｙ）１０９、照明絞り１１０、リレーレンズ１１１、孔開きミラー１１２、対物レンズ１１３を含んで構成される。
【００３９】
観察光源１０１は、たとえば約４００ｎｍ〜７００ｎｍの範囲に含まれる可視領域の波長の照明光を出力する。また、撮影光源１０３は、たとえば約７００ｎｍ〜８００ｎｍの範囲に含まれる近赤外領域の波長の照明光を出力する。撮影光源１０３から出力される近赤外光は、ＯＣＴユニット１５０で使用する光の波長よりも短く設定されている（後述）。
【００４０】
また、撮影光学系１２０は、対物レンズ１１３、孔開きミラー１１２（の孔部１１２ａ）、撮影絞り１２１、バリアフィルタ１２２及び１２３、変倍レンズ１２４、リレーレンズ１２５、撮影レンズ１２６、ダイクロイックミラー１３４、フィールドレンズ（視野レンズ）１２８、ハーフミラー１３５、リレーレンズ１３１、ダイクロイックミラー１３６、撮影レンズ１３３、撮像装置１０（撮像素子１０ａ）、反射ミラー１３７、撮影レンズ１３８、撮像装置１２（撮像素子１２ａ）、レンズ１３９及びＬＣＤ１４０を含んで構成される。
【００４１】
更に、撮影光学系１２０には、ダイクロイックミラー１３４、ハーフミラー１３５、ダイクロイックミラー１３６、反射ミラー１３７、撮影レンズ１３８、レンズ１３９及びＬＣＤ１４０が設けられている。
【００４２】
ダイクロイックミラー１３４は、照明光学系１００からの照明光の眼底反射光（約４００ｎｍ〜８００ｎｍの範囲に含まれる波長を有する）を反射するとともに、ＯＣＴユニット１５０からの信号光ＬＳ（たとえば約８００ｎｍ〜９００ｎｍの範囲に含まれる波長を有する；後述）を透過させるように構成されている。
【００４３】
また、ダイクロイックミラー１３６は、照明光学系１００からの可視領域の波長を有する照明光（観察光源１０１から出力される波長約４００ｎｍ〜７００ｎｍの可視光）を透過させるとともに、近赤外領域の波長を有する照明光（撮影光源１０３から出力される波長約７００ｎｍ〜８００ｎｍの近赤外光）を反射するように構成されている。
【００４４】
ＬＣＤ１４０は、被検眼Ｅを固視させるための固視標（内部固視標）を表示する。ＬＣＤ１４０からの光は、レンズ１３９により集光された後に、ハーフミラー１３５により反射され、フィールドレンズ１２８を経由してダイクロイックミラー１３６に反射される。更に、この光は、撮影レンズ１２６、リレーレンズ１２５、変倍レンズ１２４、孔開きミラー１１２（の孔部１１２ａ）、対物レンズ１１３等を経由して、被検眼Ｅに入射する。それにより、被検眼Ｅの眼底Ｅｆに内部固視標が投影される。
【００４５】
撮像素子１０ａは、テレビカメラ等の撮像装置１０に内蔵されたＣＣＤ（Ｃｈａｒｇｅ  Ｃｏｕｐｌｅｄ  Ｄｅｖｉｃｅｓ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の撮像素子であり、特に、近赤外領域の波長の光を検出する。つまり、撮像装置１０は、近赤外光を検出する赤外線テレビカメラである。撮像装置１０は、近赤外光を検出した結果として映像信号を出力する。
【００４６】
タッチパネルモニタ１１は、この映像信号に基づいて、眼底Ｅｆの表面の２次元画像（眼底画像Ｅｆ′）を表示する。また、この映像信号は演算制御装置２００に送られ、ディスプレイ（後述）に眼底画像が表示される。
【００４７】
なお、撮像装置１０による撮影時には、たとえば撮影光源１０３から出力される近赤外領域の波長を有する照明光が用いられる。
【００４８】
一方、撮像素子１２ａは、テレビカメラ等の撮像装置１２に内蔵されたＣＣＤやＣＭＯＳ等の撮像素子であり、特に、可視領域の波長の光を検出する。つまり、撮像装置１２は、可視光を検出するテレビカメラである。撮像装置１２は、可視光を検出した結果として映像信号を出力する。
【００４９】
タッチパネルモニタ１１は、この映像信号に基づいて、眼底Ｅｆの表面の２次元画像（眼底画像Ｅｆ′）を表示する。また、この映像信号は演算制御装置２００に送られ、ディスプレイ（後述）に眼底画像が表示される。
【００５０】
なお、撮像装置１２による眼底撮影時には、たとえば観察光源１０１から出力される可視領域の波長を有する照明光が用いられる。
【００５１】
眼底カメラユニット１Ａには、走査ユニット１４１とレンズ１４２とが設けられている。走査ユニット１４１は、ＯＣＴユニット１５０から出力される光（信号光ＬＳ；後述）の眼底Ｅｆに対する照射位置を走査する。
【００５２】
レンズ１４２は、ＯＣＴユニット１５０から接続線１５２を通じて導光された信号光ＬＳを平行な光束にして走査ユニット１４１に入射させる。また、レンズ１４２は、走査ユニット１４１を経由してきた信号光ＬＳの眼底反射光を集束させる。
【００５３】
図２に、走査ユニット１４１の構成の一例を示す。走査ユニット１４１は、ガルバノミラー１４１Ａ、１４１Ｂと、反射ミラー１４１Ｃ、１４１Ｄとを含んで構成されている。
【００５４】
ガルバノミラー１４１Ａ、１４１Ｂは、それぞれ回動軸１４１ａ、１４１ｂを中心に回動可能に配設された反射ミラーである。各ガルバノミラー１４１Ａ、１４１Ｂは、後述の駆動機構（図５に示すミラー駆動機構２４１、２４２）によって回動軸１４１ａ、１４１ｂを中心にそれぞれ回動される。それにより、各ガルバノミラー１４１Ａ、１４１Ｂの反射面（信号光ＬＳを反射する面）の向きが変更される。
【００５５】
回動軸１４１ａ、１４１ｂは、互いに直交して配設されている。図２においては、ガルバノミラー１４１Ａの回動軸１４１ａは、紙面に対して平行方向に配設されている。また、ガルバノミラー１４１Ｂの回動軸１４１ｂは、紙面に対して直交する方向に配設されている。
【００５６】
すなわち、ガルバノミラー１４１Ｂは、図２中の両側矢印に示す方向に回動可能に構成され、ガルバノミラー１４１Ａは、当該両側矢印に対して直交する方向に回動可能に構成されている。それにより、ガルバノミラー１４１Ａ、１４１Ｂは、信号光ＬＳの反射方向を互いに直交する方向に変更するようにそれぞれ作用する。図１及び図２から分かるように、ガルバノミラー１４１Ａを回動させると信号光ＬＳはｘ方向に走査され、ガルバノミラー１４１Ｂを回動させると信号光ＬＳはｙ方向に走査される。
【００５７】
ガルバノミラー１４１Ａ、１４１Ｂにより反射された信号光ＬＳは、反射ミラー１４１Ｃ、１４１Ｄにより反射され、ガルバノミラー１４１Ａに入射したときと同じ向きに進行するようになっている。
【００５８】
なお、接続線１５２の内部の光ファイバ１５２ａの端面１５２ｂは、レンズ１４２に対峙して配設される。端面１５２ｂから出射された信号光ＬＳは、レンズ１４２に向かってビーム径を拡大しつつ進行し、レンズ１４２によって平行な光束とされる。逆に、眼底Ｅｆを経由した信号光ＬＳは、レンズ１４２により端面１５２ｂに向けて集束されて光ファイバ１５２ａに入射する。
【００５９】
〔ＯＣＴユニットの構成〕
次に、ＯＣＴユニット１５０の構成について図３を参照しつつ説明する。ＯＣＴユニット１５０は、眼底のＯＣＴ画像を形成するための光学系を有する。
【００６０】
ＯＣＴユニット１５０は、従来のフーリエドメインタイプの光画像計測装置とほぼ同様の光学系を備えている。すなわち、ＯＣＴユニット１５０は、低コヒーレンス光を参照光と信号光に分割し、被検眼を経由した信号光と参照物体を経由した参照光とを重畳させて干渉光を生成してこれを検出する。この検出結果（検出信号）は演算制御装置２００に入力される。演算制御装置２００は、この検出信号を解析して眼底の断層画像や３次元画像を形成する。
【００６１】
低コヒーレンス光源１６０は、低コヒーレンス光Ｌ０を出力する広帯域光源により構成される。広帯域光源としては、たとえば、スーパールミネセントダイオード（ＳＬＤ：Ｓｕｐｅｒ  Ｌｕｍｉｎｅｓｃｅｎｔ  Ｄｉｏｄｅ）や、発光ダイオード（ＬＥＤ：Ｌｉｇｈｔ  Ｅｍｉｔｔｅｄ  Ｄｉｏｄｅ）などが用いられる。低コヒーレンス光源１６０は、この発明の「光源」の一例である。
【００６２】
低コヒーレンス光Ｌ０は、たとえば、近赤外領域の波長の光を含み、かつ、数十マイクロメートル程度の時間的コヒーレンス長を有する光とされる。低コヒーレンス光Ｌ０は、眼底カメラユニット１Ａの照明光（波長約４００ｎｍ〜８００ｎｍ）よりも長い波長、たとえば約８００ｎｍ〜９００ｎｍの範囲に含まれる波長を有する。
【００６３】
低コヒーレンス光源１６０から出力された低コヒーレンス光Ｌ０は、光ファイバ１６１を通じて光カプラ１６２に導かれる。光ファイバ１６１は、たとえばシングルモードファイバやＰＭファイバ（Ｐｏｌａｒｉｚａｔｉｏｎ  ｍａｉｎｔａｉｎｉｎｇ  ｆｉｂｅｒ；偏波面保持ファイバ）等により構成される。光カプラ１６２は、低コヒーレンス光Ｌ０を参照光ＬＲと信号光ＬＳとに分割する。
【００６４】
なお、光カプラ１６２は、光を分割する手段（スプリッタ；ｓｐｌｉｔｔｅｒ）、及び、光を重畳する手段（カプラ；ｃｏｕｐｌｅｒ）の双方として作用するものであるが、ここでは慣用的に「光カプラ」と称することにする。
【００６５】
光カプラ１６２により生成された参照光ＬＲは、シングルモードファイバ等からなる光ファイバ１６３により導光されてファイバ端面から出射される。更に、参照光ＬＲは、コリメータレンズ１７１により平行光束とされた後に、ガラスブロック１７２及び濃度フィルタ１７３を経由し、参照ミラー１７４により反射される。参照ミラー１７４は、この発明の「参照物体」の例である。
【００６６】
参照ミラー１７４により反射された参照光ＬＲは、再び濃度フィルタ１７３及びガラスブロック１７２を経由し、コリメータレンズ１７１によって光ファイバ１６３のファイバ端面に集光され、光ファイバ１６３を通じて光カプラ１６２に導かれる。
【００６７】
ここで、ガラスブロック１７２と濃度フィルタ１７３は、参照光ＬＲと信号光ＬＳの光路長（光学距離）を合わせるための遅延手段として、また、参照光ＬＲと信号光ＬＳの分散特性を合わせるための分散補償手段として作用する。
【００６８】
また、濃度フィルタ１７３は、参照光ＬＲの光量を減少させる減光フィルタとしても作用する。濃度フィルタ１７３は、たとえば、回転型のＮＤ（Ｎｅｕｔｒａｌ  Ｄｅｎｓｉｔｙ）フィルタにより構成される。濃度フィルタ１７３は、モータ等の駆動装置を含んで構成される駆動機構（後述の濃度フィルタ駆動機構２４４；図５参照）によって回転駆動される。それにより、干渉光ＬＣの生成に寄与する参照光ＬＲの光量が変更される。
【００６９】
また、参照ミラー１７４は、参照光ＬＲの進行方向（図３に示す両側矢印方向）に移動可能とされている。それにより、被検眼Ｅの眼軸長やワーキングディスタンス（対物レンズ１１３と被検眼Ｅとの距離）などに応じた参照光ＬＲの光路長を確保できる。また、参照ミラー１７４を移動させることにより、眼底Ｅｆの任意の深度位置の画像を取得することができる。なお、参照ミラー１７４は、モータ等の駆動装置を含んで構成される駆動機構（後述の参照ミラー駆動機構２４３；図５参照）によって移動される。
【００７０】
一方、光カプラ１６２により生成された信号光ＬＳは、シングルモードファイバ等からなる光ファイバ１６４により接続線１５２の端部まで導光される。接続線１５２の内部には光ファイバ１５２ａが導通されている。ここで、光ファイバ１６４と光ファイバ１５２ａは、単一の光ファイバから形成されていてもよいし、各々の端面同士を接合するなどして一体的に形成されていてもよい。いずれにしても、光ファイバ１６４、１５２ａは、眼底カメラユニット１ＡとＯＣＴユニット１５０との間で、信号光ＬＳを伝送可能に構成されていれば十分である。
【００７１】
信号光ＬＳは、接続線１５２内部を導光されて眼底カメラユニット１Ａに案内される。更に、信号光ＬＳは、レンズ１４２、走査ユニット１４１、ダイクロイックミラー１３４、撮影レンズ１２６、リレーレンズ１２５、変倍レンズ１２４、撮影絞り１２１、孔開きミラー１１２の孔部１１２ａ、対物レンズ１１３を経由して被検眼Ｅに照射される。なお、信号光ＬＳを被検眼Ｅに照射させるときには、バリアフィルタ１２２、１２３は、それぞれ事前に光路から退避される。
【００７２】
被検眼Ｅに入射した信号光ＬＳは、眼底Ｅｆ上にて結像し反射される。このとき、信号光ＬＳは、眼底Ｅｆの表面で反射されるだけでなく、眼底Ｅｆの深部領域にも到達して屈折率境界において散乱される。したがって、眼底Ｅｆを経由した信号光ＬＳは、眼底Ｅｆの表面形態を反映する情報と、眼底Ｅｆの深層組織の屈折率境界における後方散乱の状態を反映する情報とを含んでいる。この光を単に「信号光ＬＳの眼底反射光」と呼ぶことがある。
【００７３】
信号光ＬＳの眼底反射光は、眼底カメラユニット１Ａ内の上記経路を逆向きに進行して光ファイバ１５２ａの端面１５２ｂに集光され、光ファイバ１５２を通じてＯＣＴユニット１５０に入射し、光ファイバ１６４を通じて光カプラ１６２に戻ってくる。
【００７４】
光カプラ１６２は、被検眼Ｅを経由して戻ってきた信号光ＬＳと、参照ミラー１７４にて反射された参照光ＬＲとを重畳して干渉光ＬＣを生成する。この干渉光ＬＣは、シングルモードファイバ等からなる光ファイバ１６５を通じてスペクトロメータ１８０に導かれる。
【００７５】
なお、この実施形態ではマイケルソン型の干渉計を採用しているが、たとえばマッハツェンダー型など任意のタイプの干渉計を適宜に採用することが可能である。
【００７６】
この発明の「干渉光生成手段」は、たとえば、光カプラ１６２と、信号光ＬＳの光路上の光学部材（つまり光カプラ１６２と被検眼Ｅとの間に配置された光学部材）と、参照光ＬＲの光路上の光学部材（つまり光カプラ１６２と参照ミラー１７４との間に配置された光学部材）とを含んで構成される。特に、干渉光生成手段は、光カプラ１６２、光ファイバ１６３、１６４及び参照ミラー１７４を具備する干渉計を含んで構成される。
【００７７】
スペクトロメータ（分光計）１８０は、コリメータレンズ１８１、回折格子１８２、結像レンズ１８３、ＣＣＤ１８４を含んで構成される。回折格子１８２は、光を透過させる透過型の回折格子であってもよいし、光を反射する反射型の回折格子であってもよい。また、ＣＣＤ１８４に代えて、ＣＭＯＳ等の他の光検出素子を用いることも可能である。
【００７８】
スペクトロメータ１８０に入射した干渉光ＬＣは、コリメータレンズ１８１により平行光束とされ、回折格子１８２によって分光（スペクトル分解）される。分光された干渉光ＬＣは、結像レンズ１８３によってＣＣＤ１８４の撮像面上に結像される。ＣＣＤ１８４は、分光された干渉光ＬＣの各スペクトル成分を検出して電荷に変換する。ＣＣＤ１８４は、この電荷を蓄積して検出信号を生成する。更に、ＣＣＤ１８４は、この検出信号を演算制御装置２００に送信する。電荷の蓄積する時間やタイミング、更には検出信号の送信タイミングは、たとえば演算制御装置２００によって制御される。ＣＣＤ１８４は、この発明の「検出手段」の一例である。
【００７９】
〔演算制御装置の構成〕
次に、演算制御装置２００の構成について説明する。演算制御装置２００は、ＯＣＴユニット１５０のＣＣＤ１８４から入力される検出信号を解析して、眼底ＥｆのＯＣＴ画像を形成する。このときの解析手法は、従来のフーリエドメインＯＣＴの手法と同様である。
【００８０】
また、演算制御装置２００は、眼底カメラユニット１Ａの撮像装置１０、１２から出力される映像信号に基づいて眼底Ｅｆの表面の形態を示す２次元画像を形成する。
【００８１】
更に、演算制御装置２００は、眼底カメラユニット１Ａ及びＯＣＴユニット１５０の各部を制御する。
【００８２】
眼底カメラユニット１Ａの制御として、演算制御装置２００は、観察光源１０１や撮影光源１０３による照明光の出力制御、エキサイタフィルタ１０５、１０６やバリアフィルタ１２２、１２３の光路上への挿入／退避動作の制御、ＬＣＤ１４０等の表示装置の動作制御、照明絞り１１０の移動制御（絞り値の制御）、撮影絞り１２１の絞り値の制御、変倍レンズ１２４の移動制御（倍率の制御）などを行う。更に、演算制御装置２００は、ガルバノミラー１４１Ａ、１４１Ｂの動作制御を行う。
【００８３】
また、ＯＣＴユニット１５０の制御として、演算制御装置２００は、低コヒーレンス光源１６０による低コヒーレンス光Ｌ０の出力制御、参照ミラー１７４の移動制御、濃度フィルタ１７３の回転動作（参照光ＬＲの光量の減少量の変更動作）の制御、ＣＣＤ１８４の蓄積タイミングや信号出力タイミングの制御などを行う。
【００８４】
このような演算制御装置２００のハードウェア構成について図４を参照しつつ説明する。
【００８５】
演算制御装置２００は、従来のコンピュータと同様のハードウェア構成を備えている。具体的には、演算制御装置２００は、マイクロプロセッサ２０１、ＲＡＭ２０２、ＲＯＭ２０３、ハードディスクドライブ（ＨＤＤ）２０４、キーボード２０５、マウス２０６、ディスプレイ２０７、画像形成ボード２０８及び通信インターフェイス（Ｉ／Ｆ）２０９を含んで構成される。これら各部は、バス２００ａにより接続されている。
【００８６】
マイクロプロセッサ２０１は、ＣＰＵ（Ｃｅｎｔｒａｌ  Ｐｒｏｃｅｓｓｉｎｇ  Ｕｎｉｔ）やＭＰＵ（Ｍｉｃｒｏ  Ｐｒｏｃｅｓｓｉｎｇ  Ｕｎｉｔ）等を含んで構成される。マイクロプロセッサ２０１は、制御プログラム２０４ａをハードディスクドライブ２０４から読み出してＲＡＭ２０２上に展開することにより、この実施形態に特徴的な動作を眼底観察装置１に実行させる。
【００８７】
また、マイクロプロセッサ２０１は、前述した装置各部の制御や、各種の演算処理などを実行する。また、マイクロプロセッサ２０１は、キーボード２０５やマウス２０６からの操作信号を受け、その操作内容に応じて装置各部を制御する。更に、マイクロプロセッサ２０１は、ディスプレイ２０７による表示処理の制御や、通信インターフェイス２０９によるデータや信号の送受信処理の制御などを行う。
【００８８】
キーボード２０５、マウス２０６及びディスプレイ２０７は、眼底観察装置１のユーザインターフェイスとして使用される。キーボード２０５は、たとえば文字や数字等をタイピング入力するためのデバイスとして用いられる。マウス２０６は、ディスプレイ２０７の表示画面に対する各種入力操作を行うためのデバイスとして用いられる。
【００８９】
また、ディスプレイ２０７は、たとえばＬＣＤやＣＲＴ（Ｃａｔｈｏｄｅ  Ｒａｙ  Ｔｕｂｅ）ディスプレイ等の表示デバイスであり、眼底観察装置１により形成された眼底Ｅｆの画像などの各種の画像を表示したり、操作画面や設定画面などの各種の画面を表示したりする。
【００９０】
なお、眼底観察装置１のユーザインターフェイスは、このような構成に限定されるものではなく、たとえばトラックボール、ジョイスティック、タッチパネル式のＬＣＤ、眼科検査用のコントロールパネルなどを含んでいてもよい。ユーザインターフェイスとしては、情報を表示出力する機能と、情報を入力したり装置の操作を行ったりする機能とを具備する任意の構成を採用できる。
【００９１】
画像形成ボード２０８は、眼底Ｅｆの画像（画像データ）を形成する処理を行う専用の電子回路である。画像形成ボード２０８には、眼底画像形成ボード２０８ａとＯＣＴ画像形成ボード２０８ｂとが設けられている。
【００９２】
眼底画像形成ボード２０８ａは、撮像装置１０や撮像装置１２からの映像信号に基づいて眼底画像の画像データを形成する専用の電子回路である。
【００９３】
また、ＯＣＴ画像形成ボード２０８ｂは、ＯＣＴユニット１５０のＣＣＤ１８４からの検出信号に基づいて眼底Ｅｆの断層画像の画像データを形成する専用の電子回路である。
【００９４】
このような画像形成ボード２０８を設けることにより、眼底画像や断層画像を形成する処理の処理速度を向上させることができる。
【００９５】
通信インターフェイス２０９は、マイクロプロセッサ２０１からの制御信号を、眼底カメラユニット１ＡやＯＣＴユニット１５０に送信する。また、通信インターフェイス２０９は、撮像装置１０、１２からの映像信号や、ＯＣＴユニット１５０のＣＣＤ１８４からの検出信号を受信して、画像形成ボード２０８に入力する。このとき、通信インターフェイス２０９は、撮像装置１０、１２からの映像信号を眼底画像形成ボード２０８ａに入力し、ＣＣＤ１８４からの検出信号をＯＣＴ画像形成ボード２０８ｂに入力するようになっている。
【００９６】
また、演算制御装置２００がＬＡＮ（Ｌｏｃａｌ  Ａｒｅａ  Ｎｅｔｗｏｒｋ）やインターネット等の通信回線に接続されている場合には、ＬＡＮカード等のネットワークアダプタやモデム等の通信機器を通信インターフェイス２０９に具備させ、この通信回線を介してデータ通信を行えるように構成できる。この場合、制御プログラム２０４ａを格納するサーバを通信回線上に設置するとともに、演算制御装置２００を当該サーバのクライアント端末として構成することにより、眼底観察装置１を動作させることができる。
【００９７】
〔制御系の構成〕
次に、眼底観察装置１の制御系の構成について図５及び図６を参照しつつ説明する。
【００９８】
（制御部）
眼底観察装置１の制御系は、演算制御装置２００の制御部２１０を中心に構成される。制御部２１０は、マイクロプロセッサ２０１、ＲＡＭ２０２、ＲＯＭ２０３、ハードディスクドライブ２０４（制御プログラム２０４ａ）、通信インターフェイス２０９等を含んで構成される。制御部２１０は、この発明の「制御手段」の一例である。
【００９９】
制御部２１０には、主制御部２１１と記憶部２１２が設けられている。主制御部２１１は、前述した各種の制御を行う。
【０１００】
記憶部２１２は、各種のデータを記憶する。記憶部２１２に記憶されるデータとしては、たとえば、ＯＣＴ画像の画像データ、検出信号の強度（各周波数成分の強度）、被検者情報（患者ＩＤや氏名など、被検者に関する情報）などがある。主制御部２１１は、記憶部２１２にデータを書き込む処理や、記憶部２１２からデータを読み出す処理を行う。
【０１０１】
（画像形成部）
画像形成部２２０は、撮像装置１０、１２からの映像信号に基づいて眼底画像Ｅｆ′の画像データを形成する。
【０１０２】
また、画像形成部２２０は、ＣＣＤ１８４からの検出信号に基づいて眼底Ｅｆの断層画像の画像データを形成する。この処理には、たとえば、ノイズ除去（ノイズ低減）、フィルタ処理、ＦＦＴ（Ｆａｓｔ  Ｆｏｕｒｉｅｒ  Ｔｒａｎｓｆｏｒｍ）などが含まれている。画像形成部２２０は、たとえば、検出信号の強度、より詳しくは周波数成分の強度に基づいて画素値（輝度値）を決定することにより、断層画像の画像データを形成する。
【０１０３】
画像形成部２２０は、画像形成ボード２０８や通信インターフェイス２０９等を含んで構成される。なお、この明細書では、「画像データ」と、それに基づいて表示される「画像」とを同一視することがある。
【０１０４】
（画像処理部）
画像処理部２３０は、画像形成部２２０により形成された画像の画像データに対して各種の画像処理や解析処理を施す。たとえば、画像処理部２３０は、画像の輝度補正や分散補正等の各種補正処理などを実行する。
【０１０５】
また、画像処理部２３０は、画像形成部２２０により形成された断層画像の間の画素を補間する補間処理を実行することにより、眼底Ｅｆの３次元画像の画像データを形成する。
【０１０６】
なお、３次元画像の画像データとは、３次元座標系により画素の位置が定義された画像データを意味する。３次元画像の画像データとしては、３次元的に配列されたボクセルからなる画像データがある。この画像データは、ボリュームデータ或いはボクセルデータなどと呼ばれる。ボリュームデータに基づく画像を表示させる場合、画像処理部２３０は、このボリュームデータに対してレンダリング処理（ボリュームレンダリングやＭＩＰ（Ｍａｘｉｍｕｍ  Ｉｎｔｅｎｓｉｔｙ  Ｐｒｏｊｅｃｔｉｏｎ：最大値投影）など）を施して、特定の視線方向から見たときの擬似的な３次元画像の画像データを形成する。ディスプレイ２０７等の表示デバイスには、この画像データに基づく擬似的な３次元画像が表示される。
【０１０７】
また、３次元画像の画像データとして、複数の断層画像のスタックデータを形成することも可能である。スタックデータは、複数の走査線に沿って得られた複数の断層画像を、走査線の位置関係に基づいて３次元的に配列させることにより得られる画像データである。
【０１０８】
また、画像処理部２３０は、眼底Ｅｆの３次元画像の画像データに基づいて、眼底Ｅｆの任意の位置を断面とする断層画像を形成することができる。この処理は、たとえば、３次元画像の画像データの画素のうちから当該断面に交差する画素を選択して画像データを形成することにより実行できる。この画像データに基づいて表示される画像が、当該断面の断層画像である。
【０１０９】
（層厚分布演算部）
層厚分布演算部２３１は、眼底Ｅｆの断層画像を解析して眼底Ｅｆの層の厚さの分布（層厚分布）を求める。層厚演算部２３１は、この発明の「演算手段」の一例である。
【０１１０】
層厚分布演算部２３１は、たとえば、断層画像中における層の位置を特定し、層の間の距離を演算することにより層厚を求め、これら層厚の取得結果を解析位置に応じて配列させることにより層厚分布を求める。そのために、層厚分布演算部２３１には、層位置特定部２３２と層厚演算部２３３が設けられている。
【０１１１】
（層位置特定部）
層位置特定部２３２は、断層画像中における層の位置を特定する。そのためにまず、層位置特定部２３２は、必要に応じて、断層画像の層位置を求め易くするための前処理を実行する。この前処理としては、たとえば、階調変換処理、画像強調処理、しきい値処理、コントラスト変換処理、二値化処理、エッジ検出処理、画像平均化処理、画像平滑化処理、フィルタ処理などの画像処理が実行される。なお、これらの画像処理を適宜に組み合わせて実行することも可能である。
【０１１２】
次に、層位置特定部２３２は、断層画像を構成する画素の画素値（たとえば輝度値）を、眼底Ｅｆの深度方向に沿って一列ずつ解析する。
【０１１３】
すなわち、解析対象の断層画像は、所定の断面に沿って配列する複数の深度方向の画像（図１０に示す画像Ｇｉｊを参照）によって構成される。層位置特定部２３２は、深度方向の画像を構成する画素の画素値を深度方向に沿って順次に参照することにより、隣接する層の境界位置に相当する画素を特定する。この処理は、たとえば、深度方向にのみ広がりを有するフィルタ（たとえば微分フィルタ等のラインフィルタ）や、深度方向及びそれに直交する方向に広がるフィルタ（エリアフィルタ）を用いて実行できる。なお、これらのフィルタは、たとえばハードディスクドライブ２０４に予め記憶されている。
【０１１４】
このように、層位置特定部２３２は、層の境界位置に相当する画像領域を求めるものであるが、同時に、層に相当する画像領域を求めるものでもある。すなわち、眼底Ｅｆは複数の層が積み重なるようにして構成されていることから、層を特定することと、層の境界位置を特定することとは同義だからである。
【０１１５】
前述のように、眼底Ｅｆは、眼底表面側から深度方向に向かって順に、網膜、脈絡膜、強膜を有している。また、網膜は、眼底表面側から深度方向に向かって順に、内境界膜、神経繊維層、神経節細胞層、内網状層、内顆粒層、外網状層、外顆粒層、外境界膜、視細胞層、網膜色素上皮層を有している。層位置特定部２３２は、これらの層のうちの少なくともいずれかの層位置（層の境界位置）を特定する。
【０１１６】
特に、層位置特定部２３２は、内接／外接位置（内顆粒層と外網状層との境界位置）を特定する。内接／外接位置は、たとえば内顆粒層及び外網状層をそれぞれ抽出し、それらの境界位置として特定できる。また、断層画像の輝度値の変化により内接／外接位置を特定することもできる。また、断層画像中の基準位置（眼底表面、網膜色素上皮層など）からの距離を参照して内接／外接位置を特定することもできる。
【０１１７】
なお、「層」には、網膜を構成する上記の各層とともに、脈絡膜や強膜やその外部組織なども含まれるものとする。また、層の境界位置には、網膜を構成する上記の層の境界位置とともに、内境界膜と硝子体との境界位置、網膜色素上皮層と脈絡膜との境界位置、脈絡膜と強膜との境界位置、強膜とその外部組織との境界位置なども含まれるものとする。
【０１１８】
（層厚演算部）
層厚演算部２３３は、層位置特定部２３２により特定された層の位置に基づいて、眼底Ｅｆの所定部位の厚さを演算する処理を行う。
【０１１９】
ここで、眼底Ｅｆの所定部位とは、前述した眼底Ｅｆの複数の層のうちの１つ以上の層を意味する。たとえば、網膜色素上皮層単独でも「所定部位」に相当し、内境界膜から内顆粒層までの複数層でも「所定部位」に相当する。
【０１２０】
また、厚さの演算対象となる「所定部位」としては、たとえば、内境界膜から神経繊維層までの厚さ（神経繊維層厚）、内境界膜から内顆粒層（視細胞の内接／外接位置）までの厚さ（網膜厚）、内境界膜から網膜色素上皮層までの厚さ（網膜厚）などがある。なお、これら３つの例のうちの第２、第３の例は、それぞれ定義は異なるが、網膜厚を表している。
【０１２１】
層厚演算部２３３が実行する処理の例を説明する。層位置特定部２３２は、前述のように、断層画像における眼底Ｅｆの層の位置（境界位置）を特定する。このとき、少なくとも２つの境界位置（すなわち、少なくとも１つの層）が特定される。層厚演算部２３３は、特定された境界位置のうちの所定の２つの境界位置の間の距離を演算する。
【０１２２】
より具体的には、層厚演算部２３３は、断層画像を構成する各深度方向の画像について、２つの境界位置に相当する画素の間の距離（深度方向の距離）を演算する。このとき、深度方向の画像の各画素には、前述のｘｙｚ座標系による座標値が割り当てられている（ｘ座標値、ｙ座標値は、それぞれ一定である。）。層厚演算部２３３は、この座標値から画素間の距離を演算することができる。また、層厚演算部２３３は、２つの境界位置にそれぞれ相当する画素の間の画素数と、隣接画素間の距離（既知）とに基づいて、目的の距離を演算することもできる。
【０１２３】
層厚分布演算部２３１は、層厚演算部２３３により取得された眼底Ｅｆの複数の位置における層の厚さに基づいて、この層の厚さの分布を表す情報（層厚分布情報）を生成する。層厚分布情報としては、所定の断面位置における層の厚さの分布をグラフで表現した層厚グラフがある。また、層厚分布情報としては、層の厚さの１次元的又は２次元的な分布を、層の厚さに応じて色分けして表現する層厚分布画像を適用してもよい。
【０１２４】
層厚分布情報を生成する処理について、より具体的に説明する。層厚演算部２３３により取得される情報は、層厚の解析位置と層厚の値とを関連付ける情報である。すなわち、上記のように、層厚は深度方向の画像ごとに求められ、また、各深度方向の画像にはｘｙｚ座標系（又はｘｙ座標系）の座標値が割り当てられている。よって、層厚演算部２３３は、ｘｙｚ座標系（又はｘｙ座標系）で定義される解析位置と、当該解析位置の深度方向の画像から演算される層厚の値とを関連付けることができる。
【０１２５】
層厚分布演算部２３１は、このような解析位置と層厚の値とを関連付ける情報を、たとえば解析位置に応じて配列させることにより層厚分布情報を生成することができる。
【０１２６】
また、層厚分布演算部２３１は、層厚演算部２３３により取得された情報から、所定の断面位置（ｘｙｚ座標系やｘｙ座標系で位置が定義されている）に含まれる情報を選択し、選択された情報の層厚の値を解析位置に応じて配列させることにより、層厚グラフを生成することができる。なお、このように生成された情報に基づいて、たとえば、横軸に解析位置を定義し、縦軸に層厚の値をプロットすれば、この層厚グラフを表示することができる。この表示処理は、主制御部２１１が実行する。
【０１２７】
また、層厚分布演算部２３１は、層厚演算部２３３により取得された情報から、所定領域（ｘｙｚ座標系やｘｙ座標系で位置が定義されている）に含まれる情報を選択し、選択された情報の層厚の値を解析位置に応じて配列させるとともに、層位置の値に応じた色を割り当てることにより、層厚分布画像（画像データ）を生成することができる。なお、このように生成された画像データに基づいて、所定領域内の各画素を割り当てられた色で表示することにより、層厚分布画像を表示することができる。この表示処理は、主制御部２１１が実行する。
【０１２８】
（血管領域特定部）
画像処理部２３０の血管領域特定部２３４は、眼底Ｅｆの断層画像中の血管領域を特定する。血管領域特定部２３４は、この発明の「特定手段」の一例である。
【０１２９】
ここで、血管領域は、前述のように、眼底血管に相当する画像領域に加えて、この画像領域の下方（図１に示すｚ方向）に位置する画像領域を含んでいてもよい。つまり、血管領域は、被検眼Ｅの角膜側から眼底を見たときの血管の位置に相当する画像領域であればよい。換言すると、ｘｙｚ座標系における血管の座標値が（ｘ、ｙ、ｚ）である場合において、この座標値（ｘ、ｙ、ｚ）をｘｙ平面に投影して得られる座標値（ｘ、ｙ）で血管領域の位置を表現することができる。
【０１３０】
血管領域について図７を参照しつつ説明する。図７に示す眼底Ｅｆの断層画像Ｇは、層領域Ｌ１、Ｌ２、Ｌ３と、境界領域ｇ１、ｇ２、ｇ３、ｇ４を描写している。図７中の符号Ｖは、眼底血管の断面に相当する画像領域（血管断面領域）を表す。また、符号Ｖ′は、血管断面領域Ｖの直下に位置する画像領域（血管直下領域）を表している。血管領域は、血管断面領域Ｖと血管直下領域Ｖ′を含む画像領域である。符号ＬＳは、断層画像Ｇを取得するときの信号光の照射方向を表している。
【０１３１】
血管断面領域Ｖや血管直下領域Ｖ′は、血管壁や血液や血流などに起因するノイズによって明瞭に表示されない。したがって、血管断面領域Ｖや血管直下領域Ｖ′においては、層領域Ｌ２、Ｌ３や境界領域ｇ２〜ｇ４は明瞭に描写されない。それにより、血管断面領域Ｖや血管直下領域Ｖ′において、層厚を高確度で演算することは困難である。
【０１３２】
以下、断層画像中の血管領域を特定する処理の例を説明する。
【０１３３】
第１の処理例として、血管領域特定部２３４は、眼底Ｅｆの断層画像を解析して血管領域を特定する。この処理は、たとえば、次のようにして実行される。なお、この処理例においては、層位置特定部２３２により、断層画像中における所定の層位置が予め特定されているものとする。この所定の層位置は、たとえば内接／外接位置であるとする。
【０１３４】
血管領域特定部２３４は、まず、断層画像中の内接／外接位置上の画素に対して、眼底Ｅｆの深度方向（＋ｚ方向及び／又は−ｚ方向）に位置する複数の画素を断層画像から抽出する。
【０１３５】
この処理の具体例を図８に示す。境界領域ｇ３を内接／外接位置とする。符号Ｐは、境界領域ｇ３上の任意の画素である。血管領域特定部２３４は、画素Ｐよりも眼底表面側（−ｚ方向）に位置する画素ｐα（α＝１〜５）と、画素Ｐの直下（＋ｚ方向）に位置する画素ｐβ（β＝１〜５）を断層画像Ｇから抽出する。
【０１３６】
なお、抽出される画素の個数は任意である。また、抽出される画素の個数は、＋ｚ方向と−ｚ方向とで同じであってもよいし異なってもよい。また、＋ｚ方向の画素のみを抽出してもよいし、−ｚ方向の画素のみを抽出してもよい。また、境界領域ｇ３上に画素が存在しない場合には、境界領域ｇ３の最も近くに位置する画素を境界領域ｇ３上の画素とみなすことができる。
【０１３７】
次に、血管領域特定部２３４は、画素ｐα、ｐβ（及び画素Ｐ）の各画素値（輝度値）を取得し、これら画素値のばらつきを表す統計値を算出する。この統計値としては、標準偏差や分散など、複数の画素値を母集団としたときに当該複数の画素値のばらつきを定義する任意の値を用いることができる。
【０１３８】
次に、血管領域特定部２３４は、この統計値が所定範囲に含まれるか判断する。たとえば統計値が標準偏差や分散である場合には、或る閾値以下の範囲を上記所定範囲として設定できる。より具体的に説明すると、当該閾値をΣとし、画素Ｐに対応する統計値を標準偏差σ（Ｐ）とした場合、血管領域特定部２３４は「σ（Ｐ）≦Σ」であるか判断する。
【０１３９】
なお、閾値Σは、たとえば、断層画像Ｇの次のような特徴に基づいて設定される。断層画像Ｇは、眼底Ｅｆの微細構造（層領域や境界領域）を表す画像であるが、血管領域については微細構造を表現できない。断層画像Ｇが輝度画像である場合には、血管領域はほぼ一様に黒く表現される。つまり、血管領域中の画素はほぼ一様に低い輝度値を有している。閾値Σは、境界領域ｇ３上の画素について、それが血管領域中の画素であるのか否かを判断するために用いられる。このような閾値Σは、たとえば、多数の断層画像について、血管領域中の画素の輝度値の標準偏差と、それ以外の画像領域の画素の輝度値の標準偏差とを比較し、比較結果を統計的に処理（たとえば平均を取るなど）して決定することが可能である。なお、閾値Σの決定方法はこれに限定されるものではない。また、標準偏差以外の統計値についても、同様に決定することが可能である。
【０１４０】
血管領域特定部２３４は、境界領域ｇ３上の各画素Ｐについてこのような判断を行う。そして、血管領域特定部２３４は、統計値が所定範囲に含まれるような画素を特定する。上記の具体例においては、血管領域特定部２３４は、標準偏差σ（Ｐ）が閾値Σ以下であるような境界領域ｇ３上の画素Ｐを特定する。それにより、次のような画素の集合Ｓが得られる：Ｓ＝｛境界領域ｇ３上の画素Ｐ：σ（Ｐ）≦Σ｝。
【０１４１】
集合Ｓは、境界領域ｇ３上の画素Ｐのうち、血管領域内に位置すると判断された画素の集合である。血管領域特定部２３４は、以上のようにして、断層画像中の血管領域を特定する。以上で、第１の処理例の説明を終了する。
【０１４２】
血管領域特定部２３４の第２の処理例を説明する。第２の処理例を適用する場合には、断面位置の異なる複数の断層画像が事前に取得される。複数の断層画像は、たとえば、互いに平行な断面を有する（図１０に示す断層画像Ｇ１〜Ｇｍを参照）。
【０１４３】
血管領域特定部２３４は、まず、複数の断層画像をそれぞれ眼底Ｅｆの深度方向（ｚ方向）に積算して積算画像を形成する。この処理は、たとえば次のように実行される。断層画像は、信号光ＬＳの照射位置（走査点）における深度方向の画像（１次元画像）を配列して形成された画像である。血管領域特定部２３４は、各１次元画像中の画素の画素値（輝度値）を積算することにより積算画像を形成する。
【０１４４】
積算画像は、信号光ＬＳの走査領域における眼底Ｅｆの表面形態を擬似的に表現した画像であり、眼底カメラユニット１Ａで撮影した眼底画像Ｅｆ′と同様の画像である。なお、図１０の説明の後に、断層画像Ｇ１〜Ｇｍから積算画像を形成する処理の例を説明する。
【０１４５】
次に、血管領域特定部２３４は、積算画像を解析し、眼底Ｅｆにおける血管の走行位置を表す走行位置情報を求める。積算画像は、上記のように、眼底Ｅｆの表面形態を擬似的に表現した画像である。積算画像には、眼底Ｅｆの血管に相当する画像（血管画像）が含まれている。
【０１４６】
血管領域特定部２３４は、たとえば次のようにして、積算画像中の血管画像を抽出する。まず、血管領域特定部２３４は、積算画像に対して所定のフィルタ処理を施す。このフィルタ処理では、たとえば、階調変換処理、画像強調処理、コントラスト変換処理、エッジ検出処理、画像平均化処理、画像平滑化処理など、積算画像中の血管画像と多の画像領域との識別を容易にするための処理を実行する。
【０１４７】
次に、血管領域特定部２３４は、所定の閾値に基づいて積算画像を二値化する。この閾値は、たとえば多数の積算画像の解析結果に基づいて事前に設定される。なお、積算画像における画素値（輝度値）の分布のヒストグラム等に基づいて当該積算画像固有の閾値を求め、この閾値に基づいて二値化処理を行うこともできる。このような二値化処理により、積算画像中の血管画像が強調される。
【０１４８】
血管領域特定部２３４は、二値化処理後の積算画像の画素値（輝度値）に基づいて血管画像を抽出する。そして、血管領域特定部２３４は、積算画像中における血管画像の位置を特定し、この血管画像の位置情報を走行位置情報とする。なお、断層画像はｘｙｚ座標系にて定義されており、積算画像は断層画像に基づいて形成されることを考慮すると、積算画像もｘｙｚ座標系（又はｘｙ座標系）にて定義された画像となる。よって、走行位置情報は、ｘｙｚ座標系（又はｘｙ座標系）の座標値により定義された積算画像中の血管画像の位置情報である。
【０１４９】
最後に、血管領域特定部２３４は、走行位置情報に基づいて断層画像中の血管領域を特定する。このとき、眼底Ｅｆの任意の断面位置における断層画像中の血管領域を特定することができる。
【０１５０】
たとえば、積算画像の形成処理に供された断層画像については、積算画像を定義する座標系と当該断層画像を定義する座標系とは同じであるので、積算画像中の血管画像と同じ座標値を有する当該断層画像中の画像領域を特定し、この画像領域を血管領域に設定する。
【０１５１】
また、積算画像の定義域内の任意の位置に断面が設定された断層画像については、たとえば次のようにして血管領域を特定できる。当該断層画像は、３次元画像の画像データに基づいて形成される（前述）。積算画像を定義する座標系と３次元画像の画像データを定義する座標系とは同じであるので、積算画像中の血管画像と同じ座標値を有する当該断層画像中の画像領域を特定し、この画像領域を血管画像に設定する。
【０１５２】
なお、３次元画像の画像データに基づかずに、積算画像の定義域内を信号光ＬＳで走査して取得された断層画像についても、後述の走査位置情報を参照することにより、同様に血管領域を特定することが可能である。以上で、第２の処理例の説明を終了する。
【０１５３】
血管領域特定部２３４の第３の処理例を説明する。第３の処理例を適用する場合には、第２の処理例と同様の複数の断層画像と、眼底画像Ｅｆ′とが事前に取得される。
【０１５４】
血管領域特定部２３４は、まず、眼底画像Ｅｆ′を解析して、眼底Ｅｆにおける血管の走行位置を表す走行位置情報を求める。この走行位置情報は、たとえば、第２の処理例と同様のフィルタ処理を眼底画像Ｅｆ′に施し、ｘ方向やｙ方向における画素値（輝度値）の変化を検出して眼底画像Ｅｆ′中の血管画像を特定し、この血管画像の画素の座標値を収集することにより作成される。
【０１５５】
次に、血管領域特定部２３４は、第２の処理例と同様に積算画像を形成する。積算画像は、前述のように、眼底Ｅｆの表面形態を擬似的に表現した画像であり、眼底画像Ｅｆ′と同様の画像である。
【０１５６】
次に、血管領域特定部２３４は、眼底画像Ｅｆ′と積算画像との位置合わせを行う。この処理は、たとえば、眼底画像Ｅｆ′中の特徴的な領域（特徴領域）と、積算画像中の特徴領域とを位置合わせすることにより実行できる。特徴領域としては、たとえば、血管領域、視神経乳頭に相当する画像領域、黄斑部に相当する画像領域、血管の分岐位置などがある。なお、画像の位置合わせ処理は、たとえば、パターンマッチングや画像相関など、公知の画像処理を用いて行うことができる。このような位置合わせ処理により、眼底画像Ｅｆ′が定義された座標系と、積算画像が定義された座標系との間の座標変換式が得られる。
【０１５７】
次に、血管領域特定部２３４は、上記位置合わせの結果に基づいて、眼底画像Ｅｆ′中の血管画像に対応する積算画像中の画像領域を特定する。この処理は、たとえば、上記座標変換式を用いて、走行位置情報に示す眼底画像Ｅｆ′中の血管画像の座標値を、積算画像が定義された座標系の座標値に変換することにより行う。それにより、眼底画像Ｅｆ′中の血管画像に対応する積算画像中の画像領域（血管画像）が特定される。
【０１５８】
次に、血管領域特定部２３４は、積算画像中の血管画像と断層画像の断面との交差領域（共通領域）を特定する。この処理は、第２の処理例と同様にして実行できる。なお、この交差領域は、眼底表面に相当する画像領域中に定義されている。
【０１５９】
最後に、血管領域特定部２３４は、この交差領域を含むように断層画像の血管領域を特定する。交差領域は、上記のように眼底表面に相当する画像領域に定義されている。血管領域特定部２３４は、断層画像における当該交差領域の直下の画像領域を血管領域に設定する。たとえば、交差領域の座標値を（ｘ、ｙ）とした場合、血管領域特定部２３４は、座標値（ｘ、ｙ、ｚ）で定義される画像領域を血管領域に設定する。
【０１６０】
このように、第３の処理例では、眼底画像Ｅｆ′中の血管領域を特定し、この血管領域に対応する積算画像中の画像領域を特定し、この画像領域と断層画像との共通領域を当該断層画像の血管領域に設定している。一般に、眼底画像Ｅｆ′は積算画像よりも明瞭な画像である。したがって、眼底画像Ｅｆ′から抽出される血管領域は、積算画像から抽出される血管領域（第２の処理例）よりも確度や精度が高い。よって、第３の処理例によれば、第２の処理例よりも高確度、高精度で血管領域を設定することができる。なお、第３の処理例の確度や精度は、眼底画像Ｅｆ′と積算画像との位置合わせ処理にも依存しているので、この位置合わせ処理を好適に行うことも必要である。
【０１６１】
以上のような画像処理部２３０は、マイクロプロセッサ２０１、ＲＡＭ２０２、ＲＯＭ２０３、ハードディスクドライブ２０４（制御プログラム２０４ａ）等を含んで構成される。
【０１６２】
（ユーザインターフェイス）
ユーザインターフェイス（Ｕｓｅｒ  Ｉｎｔｅｒｆａｃｅ；ＵＩ）２４０には、表示部２４０Ａと操作部２４０Ｂが設けられている。表示部２４０Ａは、ディスプレイ２０７等の表示デバイスにより構成される。また、操作部２４０Ｂは、キーボード２０５やマウス２０６などの入力デバイスや操作デバイスにより構成される。
【０１６３】
〔信号光の走査及び画像処理について〕
信号光ＬＳの走査態様及び画像処理の態様について、その一例を説明する。信号光ＬＳは、走査ユニット１４１により走査される。より詳しくは、信号光ＬＳは、制御部２１０がミラー駆動機構２４１、２４２を制御してガルバノミラー１４１Ａ、１４１Ｂの反射面の向きを変更することにより走査される。
【０１６４】
ガルバノミラー１４１Ａは、信号光ＬＳを水平方向（図１のｘ方向）に走査する。ガルバノミラー１４１Ｂは、信号光ＬＳ垂直方向（図１のｙ方向）に走査する。また、ガルバノミラー１４１Ａ、１４１Ｂの双方を同時に動作させることで、ｘｙ平面上の任意方向に信号光ＬＳを走査できる。
【０１６５】
図９は、眼底Ｅｆの画像を形成するための信号光ＬＳの走査態様の一例を表している。図９（Ａ）は、信号光ＬＳが被検眼Ｅに入射する方向から眼底Ｅｆを見た（つまり図１の−ｚ方向から＋ｚ方向を見た）ときの、信号光ＬＳの走査態様の一例を表す。また、図９（Ｂ）は、眼底Ｅｆ上の各走査線における走査点（計測位置）の配列態様の一例を表す。
【０１６６】
図９（Ａ）に示すように、信号光ＬＳは、矩形の走査領域Ｒ内を走査される。走査領域Ｒ内には、ｘ方向に沿った複数（ｍ本）の走査線Ｒ１〜Ｒｍが設定されている。走査線Ｒｉ（ｉ＝１〜ｍ）は、ｙ方向に配列されている。各走査線Ｒｉの方向（ｘ方向）を「主走査方向」と呼び、それに直交する方向（ｙ方向）を「副走査方向」と呼ぶ。
【０１６７】
各走査線Ｒｉ上には、図９（Ｂ）に示すように、複数（ｎ個）の走査点Ｒｉ１〜Ｒｉｎが設定されている。なお、走査領域Ｒや走査線Ｒｉや走査点Ｒｉｊの位置は、計測を行う前に適宜に設定される。
【０１６８】
図９に示す走査を実行するために、制御部２１０は、まず、ガルバノミラー１４１Ａ、１４１Ｂを制御し、眼底Ｅｆに対する信号光ＬＳの入射目標を第１の走査線Ｒ１上の走査開始位置ＲＳ（走査点Ｒ１１）に設定する。続いて、制御部２１０は、低コヒーレンス光源１６０を制御し、低コヒーレンス光Ｌ０をフラッシュ発光させて、走査開始位置ＲＳに信号光ＬＳを入射させる。ＣＣＤ１８４は、この信号光ＬＳの走査開始位置ＲＳにおける反射光に基づく干渉光ＬＣを受光して電荷を蓄積し、検出信号を生成する。
【０１６９】
次に、制御部２１０は、ガルバノミラー１４１Ａを制御して、信号光ＬＳを主走査方向に走査して、その入射目標を走査点Ｒ１２に設定し、低コヒーレンス光Ｌ０をフラッシュ発光させて走査点Ｒ１２に信号光ＬＳを入射させる。ＣＣＤ１８４は、この信号光ＬＳの走査点Ｒ１２における反射光に基づく干渉光ＬＣを受光して電荷を蓄積し、検出信号を生成する。
【０１７０】
制御部２１０は、同様にして、信号光ＬＳの入射目標を走査点Ｒ１３、Ｒ１４、・・・、Ｒ１（ｎ−１）、Ｒ１ｎと順次移動させつつ、各走査点において低コヒーレンス光Ｌ０をフラッシュ発光させることにより、各走査点に対応する検出信号を生成させる。
【０１７１】
第１の走査線Ｒ１の最後の走査点Ｒ１ｎにおける計測が終了したら、制御部２１０は、ガルバノミラー１４１Ａ、１４１Ｂを同時に制御して、信号光ＬＳの入射目標を、線換え走査ｒに沿って第２の走査線Ｒ２の最初の走査点Ｒ２１まで移動させる。そして、制御部２１０は、この第２の走査線Ｒ２の各走査点Ｒ２ｊ（ｊ＝１〜ｎ）について同様の計測を実行させ、各走査点Ｒ２ｊに対応する検出信号をそれぞれ生成させる。
【０１７２】
同様に、制御部２１０は、第３の走査線Ｒ３、・・・・、第ｍ−１の走査線Ｒ（ｍ−１）、第ｍの走査線Ｒｍのそれぞれについて計測を行わせ、各走査点に対応する検出信号を生成させる。なお、走査線Ｒｍ上の符号ＲＥは、走査点Ｒｍｎに対応する走査終了位置である。
【０１７３】
このようにして、制御部２１０は、走査領域Ｒ内のｍ×ｎ個の走査点Ｒｉｊ（ｉ＝１〜ｍ、ｊ＝１〜ｎ）に対応するｍ×ｎ個の検出信号を生成させる。走査点Ｒｉｊに対応する検出信号をＤｉｊと表すことがある。
【０１７４】
以上の制御において、制御部２１０は、ガルバノミラー１４１Ａ、１４１Ｂを動作させるときに、各走査点Ｒｉｊの位置情報（ｘｙ座標系における座標）を取得する。この位置情報（走査位置情報）は、ＯＣＴ画像を形成するときなどに参照される。
【０１７５】
次に、図９に示す走査が実施された場合における画像処理の例を説明する。
【０１７６】
画像形成部２２０は、各走査線Ｒｉ（主走査方向）に沿った眼底Ｅｆの断層画像を形成する。また、画像処理部２３０は、画像形成部２２０により形成された断層画像に基づいて眼底Ｅｆの３次元画像を形成する。
【０１７７】
断層画像の形成処理は、従来と同様に、２段階の演算処理を含んで構成される。第１段階では、各検出信号Ｄｉｊに基づいて、走査点Ｒｉｊにおける眼底Ｅｆの深度方向（図１に示すｚ方向）の画像を形成する。
【０１７８】
第２段階では、走査点Ｒｉ１〜Ｒｉｎにおける深度方向の画像を走査位置情報に基づいて配列させて、走査線Ｒｉに沿った断層画像Ｇｉを形成する。以上のような処理により、ｍ個の断層画像Ｇ１〜Ｇｍが得られる。
【０１７９】
画像処理部２３０は、走査位置情報に基づいて断層画像Ｇ１〜Ｇｍを配列させ、隣接する断層画像Ｇｉ、Ｇ（ｉ＋１）の間の画像を補間する補間処理などを行って、眼底Ｅｆの３次元画像を生成する。この３次元画像は、たとえば走査位置情報に基づく３次元座標系（ｘ、ｙ、ｚ）により定義されている。
【０１８０】
また、画像処理部２３０は、この３次元画像に基づいて、任意の断面における断層画像を形成できる。断面が指定されると、画像処理部２３０は、指定断面上の各走査点（及び／又は補間された深度方向の画像）の位置を特定し、各特定位置における深度方向の画像（及び／又は補間された深度方向の画像）を３次元画像から抽出し、抽出された複数の深度方向の画像を走査位置情報等に基づき配列させることにより、指定断面における断層画像を形成する。
【０１８１】
なお、図１０に示す画像Ｇｍｊは、走査線Ｒｍ上の走査点Ｒｍｊにおける深度方向の画像を表す。同様に、前述した第１段階の処理において形成される、走査点Ｒｉｊにおける深度方向の画像を「画像Ｇｉｊ」と表す。
【０１８２】
ここで、断層画像Ｇ１〜Ｇｍに基づく積算画像の形成処理の例を説明する。血管領域特定部２３４は、断層画像Ｇｉを構成する画像Ｇｉｊを深度方向（ｚ方向）に積算して点状の画像を形成する。
【０１８３】
「深度方向に積算する」とは、画像Ｇｉｊを構成する画素の輝度値を深度方向に足し合わせる（投影する）演算を意味する。したがって、画像Ｇｉｊを積算して得られる点状の画像は、画像Ｇｉｊの各ｚ位置における輝度値を深度方向に足し合わせた輝度値を有している。また、点状の画像の位置は、ｘｙ座標系による画像Ｇｉｊの座標値と同じである。
【０１８４】
血管領域特定部２３４は、信号光ＬＳの一連の走査によって得られるｍ個の断層画像Ｇ１〜Ｇｍのそれぞれについて上記の積算処理を実行する。それにより、走査領域Ｒに２次元的に分布したｍ×ｎ個の点状の画像からなる積算画像が形成される。この積算画像は、走査領域Ｒにおける眼底画像Ｅｆ′と同様に、眼底Ｅｆの表面の形態を表す画像となる。
【０１８５】
信号光ＬＳの走査態様は、上記のものに限定されるものではない。たとえば、信号光ＬＳを水平方向（ｘ方向）にのみ走査させたり、垂直方向（ｙ方向）にのみ走査させたり、縦横１本ずつ十字型に走査させたり、放射状に走査させたり、円形状に走査させたり、同心円状に走査させたり、螺旋状に走査させたりできる。すなわち、前述のように、走査ユニット１４１は、信号光ＬＳをｘ方向及びｙ方向にそれぞれ独立に走査できるように構成されているので、ｘｙ面上の任意の軌跡に沿って信号光ＬＳを走査することが可能である。
【０１８６】
［使用形態］
眼底観察装置１の使用形態について説明する。図１１及び図１２に示すフローチャートは、それぞれ、眼底観察装置１の使用形態の一例を表している。図１１に示す使用形態は、断層画像に基づいて血管領域を特定する場合の例である。図１２に示す使用形態は、眼底画像Ｅｆ′と断層画像に基づいて血管領域を特定する場合の例である。
【０１８７】
〔第１の使用形態〕
図１１を参照して、眼底観察装置１の第１の使用形態を説明する。図１１には記載されていないが、この使用形態において眼底画像Ｅｆ′を適宜に撮影することが可能である。
【０１８８】
まず、被検眼Ｅに対する光学系のアライメントを行う（Ｓ１）。アライメントは、従来の眼底カメラと同様にして行われる。たとえば、被検眼Ｅにアライメント輝点（図示せず）を投影してその状態を観察しつつ眼底カメラユニット１Ａの位置を調整することによりアライメントを行う。
【０１８９】
次に、参照ミラー１７４の位置を調整し、信号光と参照光との干渉状態を調整する（Ｓ２）。このとき、眼底Ｅｆの所望の深度位置の画像が明瞭になるように調整を行う。たとえば、眼底Ｅｆの内接／外接位置が明瞭に視認できるように干渉状態を調整する。なお、参照ミラー１７４の位置調整は、操作部２４０Ｂを用いて手作業で行ってもよいし、自動的に行うようにしてもよい。
【０１９０】
干渉状態の調整が終わったら、オペレータは、操作部２４０Ｂにより所定の操作を行ってＯＣＴ画像の取得を指示する（Ｓ３）。
【０１９１】
この指示に基づく信号を制御部２４０Ｂから受けた主制御部２１１は、低コヒーレンス光源１６０、走査ユニット１４１、ＣＣＤ１８４、画像形成部２２０等を制御して、ＯＣＴ画像を取得させる（Ｓ４）。ここで、ＯＣＴ画像として、図１０に示す断層画像Ｇ１〜Ｇｍが取得されたものとする。
【０１９２】
画像処理部２３０は、断層画像Ｇｉに基づいて、眼底Ｅｆの３次元画像の画像データを形成する（Ｓ５）。
【０１９３】
次に、この３次元画像の定義域（走査領域Ｒ）内に断面位置を設定する（Ｓ６）。断面位置の設定は、オペレータが手作業で行ってもよいし、眼底観察装置１が自動で行ってもよい。
【０１９４】
前者の場合、たとえば、３次元画像を表示部２４０Ａに表示させ、これを参照しつつ操作部２４０Ｂを用いて断面位置を設定する。また、事前に眼底画像Ｅｆ′が撮影された場合には、眼底画像Ｅｆ′を表示して断面位置を設定するようにしてもよい。この場合には、積算画像を用いるなどして、眼底画像Ｅｆ′と３次元画像との位置合わせを行う。
【０１９５】
後者の場合、たとえば、予め定められた断面位置を画像処理部２３０が自動的に設定する。このとき、画像処理部２３０は、３次元画像を解析し、当該断面位置に相当する３次元画像中の領域を特定する。具体例として、３次元画像を解析して、眼底表面の窪みの最深部を探索して中心窩とし、この中心窩を中心とし、所定半径を有する円形の領域を断面位置として設定する。以下、このような円形の断面位置が設定された場合について説明する。
【０１９６】
画像処理部２３０は、３次元画像の画像データに基づいて、この円形の断面位置の断層画像を形成する（Ｓ７）。
【０１９７】
層厚分布演算部２３１は、この断層画像の断面における眼底Ｅｆの層の厚さの分布を表す層厚分布情報を生成する（Ｓ８）。
【０１９８】
血管領域特定部２３４は、この断層画像中の血管領域を特定する（Ｓ９）。このとき、前述した第１の処理例又は第２の処理例が適用される。
【０１９９】
主制御部２１１は、ステップ８で得られた層厚分布情報を表示部２４０Ａに表示させるとともに、ステップ９で得られた血管領域の位置を表す血管位置情報を層厚分布情報上に表示させる（Ｓ１０）。以上で、第１の使用形態は終了となる。
【０２００】
図１３は、層厚分布情報及び血管位置情報の表示態様の例を表す。この表示態様では、層厚分布情報として層厚グラフＲＴが表示される。層厚グラフＲＴの横軸は、上記の円形の断面位置にそって定義されている。横軸方向の距離は画素数で定義されている。また、層厚グラフＲＴの縦軸は層厚の値を表している。層厚の値の単位はμｍである。このように、層厚グラフＲＴは、当該断面位置における層厚の分布を表すものである。
【０２０１】
この例では、ステップ９において、断層画像中に２つの血管領域（第１、第２の血管領域）が特定されたものとする。この表示態様では、図１３に示すように、第１の血管領域の位置を表す血管位置情報Ｗ１と、第２の血管領域の位置を表す血管位置情報Ｗ２が含まれている。各血管位置情報Ｗ１、Ｗ２は、当該断面における血管領域の位置に表示された、縦軸方向に延びる画像（血管位置画像）である。
【０２０２】
このように、層厚グラフＲＴ上に血管位置情報Ｗ１、Ｗ２を表示させることにより、層厚グラフＲＴ上のどの位置が血管領域に相当しているかを容易に把握できる。換言すると、血管位置情報Ｗ１、Ｗ２により、断層画像の断面のどの位置において層厚を確度良く解析できなかったかを容易に把握できる。
【０２０３】
なお、図１３においては、血管位置情報Ｗ１、Ｗ２の表示位置において層厚グラフＲＴが途切れているが、当該表示位置における解析結果を用いて連続的な層厚グラフＲＴを表示させてもよい。
【０２０４】
他の表示態様を図１４に示す。図１４の表示態様では、層厚分布情報及び血管位置情報とともに、ステップ７で形成された断層画像を表示させている。
【０２０５】
この表示態様では、眼底Ｅｆの断層画像Ｇと層厚グラフＲＴとを並べて表示させる。断層画像Ｇは、ステップ７で形成されたものである。断層画像Ｇの表示サイズは、層厚グラフＲＴの表示サイズに合わせられている。層厚グラフＲＴ上には、図１３と同様に、血管位置情報Ｗ１、Ｗ２が表示されている。
【０２０６】
断層画像Ｇと層厚グラフＲＴの並列表示についてより詳しく説明する。断層画像Ｇと層厚グラフＲＴは、縦方向に並んで表示される。断層画像Ｇは、その断面に沿った方向（横方向）が、層厚グラフＲＴの横軸方向に一致するように表示される。また、断層画像Ｇの横方向のサイズは、層厚グラフＲＴの横軸のサイズに一致されている。
【０２０７】
断層画像Ｇ上には、血管断面領域を表す画像（血管断面画像）Ｖ１、Ｖ２が表示される。なお、血管断面領域については前述した（図７を参照）。断層画像Ｇにおいて、第１の血管領域は、血管断面画像Ｖ１とその直下の領域とを含んでいる。同様に、第２の血管領域は、血管断面画像Ｖ２とその直下の領域とを含んでいる。
【０２０８】
血管位置情報Ｗ１は、層厚グラフＲＴ上における第１の血管領域に対応する位置を表している。同様に、血管位置情報Ｗ２は、層厚グラフＲＴ上における第２の血管領域に対応する位置を表している。
【０２０９】
血管断面画像Ｖ１と血管位置情報Ｗ１は、横方向（横軸方向）の同位置に表示される。それにより、断層画像Ｇ中の第１の血管領域の表示位置と、層厚グラフＲＴ中の血管位置情報Ｗ１の表示位置とが互いに対応付けられる。
【０２１０】
同様に、血管断面画像Ｖ２と血管位置情報Ｗ２は、横方向（横軸方向）の同位置に表示される。それにより、断層画像Ｇ中の第２の血管領域の表示位置と、層厚グラフＲＴ中の血管位置情報Ｗ２の表示位置とが互いに対応付けられる。
【０２１１】
このように、層厚グラフＲＴと断層画像Ｇとを並べて表示させることにより、眼底Ｅｆの断面の状態と層厚の双方を把握できるという利点がある。
【０２１２】
また、層厚グラフＲＴ上の血管位置情報Ｗ１、Ｗ２と、断層画像Ｇ中の血管領域（血管断面画像Ｖ１、Ｖ２）を、互いの表示位置を対応づけて表示させることにより、断層画像中の血管位置と層厚グラフＲＴとの関連を把握できるという利点がある。
【０２１３】
〔第２の使用形態〕
図１２を参照して、眼底観察装置１の第２の使用形態を説明する。まず、被検眼Ｅに対する光学系のアライメントを行い（Ｓ２１）、更に、信号光と参照光との干渉状態を調整する（Ｓ２２）。
【０２１４】
オペレータがＯＣＴ画像の取得を指示すると（Ｓ２３）、眼底観察装置１はＯＣＴ画像を取得する（Ｓ２４）。ここで、ＯＣＴ画像として断層画像Ｇ１〜Ｇｍが取得されたものとする。
【０２１５】
次に、オペレータは、眼底Ｅｆの表面の２次元画像の撮影を指示する（Ｓ２５）。主制御部２１１は、眼底カメラユニット１Ａを制御し、眼底画像Ｅｆ′を撮影させる（Ｓ２６）。なお、眼底画像Ｅｆ′を撮影するタイミングは、ＯＣＴ画像の取得前であってもよい。
【０２１６】
画像処理部２３０は、ステップ２４で取得された断層画像Ｇｉに基づいて、眼底Ｅｆの３次元画像の画像データを形成する（Ｓ２７）。
【０２１７】
次に、３次元画像の定義域（走査領域Ｒ）内に断面位置を設定する（Ｓ２８）。断面位置の設定は、第１の使用形態と同様に、オペレータが手作業で行ってもよいし、眼底観察装置１が自動で行ってもよい。
【０２１８】
画像処理部２３０は、３次元画像の画像データに基づいて、この円形の断面位置の断層画像を形成する（Ｓ２９）。
【０２１９】
層厚分布演算部２３１は、この断層画像の断面における眼底Ｅｆの層の厚さの分布を表す層厚分布情報を生成する（Ｓ３０）。
【０２２０】
血管領域特定部２３４は、この断層画像中の血管領域を特定する（Ｓ３１）。この処理は、ステップ２６で撮影された眼底画像Ｅｆ′と、ステップ２７で形成された３次元画像の画像データに基づいて、前述の第３の処理例を適用することにより実行される。
【０２２１】
主制御部２１１は、ステップ３０で得られた層厚分布情報を表示部２４０Ａに表示させるとともに、ステップ３１で得られた血管領域の位置を表す血管位置情報を層厚分布情報上に表示させる（Ｓ３２）。以上で、第２の使用形態は終了となる。
【０２２２】
層厚分布情報及び血管位置情報の表示態様を説明する。層厚分布情報及び血管位置情報のみを表示させる場合には、図１３と同様の表示態様を適用できる。また、層厚分布情報及び血管位置情報とともに断層画像を表示する場合には、図１４と同様の表示態様を適用できる。
【０２２３】
第２の使用形態では、ステップ２６で眼底画像Ｅｆ′を撮影している。図１５は、層厚分布情報、血管位置情報及び断層画像とともに、眼底画像Ｅｆ′を表示させる場合の表示画面３００が記載されている。
【０２２４】
表示画面３００には、断層画像表示部３０１、眼底画像表示部３０２及び層厚分布情報表示部３０３が設けられている。断層画像表示部３０１と眼底画像表示部３０２は、画面の横方向に並んで設けられている。また、断層画像表示部３０１と層厚分布情報表示部３０３は、画面の縦方向に並んで設けられている。
【０２２５】
断層画像表示部３０１には、ステップ２９で形成された、円形の断面位置における断層画像Ｇが表示される。眼底画像表示部３０２には、ステップ２６で撮影された眼底画像Ｅｆ′が表示される。層厚分布情報表示部３０３には、ステップ３０で生成された層厚グラフＲＴが表示される。
【０２２６】
図１３、図１４と同様に、断層画像Ｇ上には、血管断面画像Ｖ１、Ｖ２が表示されている。血管断面画像Ｖ１と血管位置情報Ｗ１は、横方向（横軸方向）の同位置に表示される。それにより、断層画像Ｇ中の第１の血管領域の表示位置と、層厚グラフＲＴ中の血管位置情報Ｗ１の表示位置とが互いに対応付けられる。また、層厚グラフＲＴ上には、血管位置情報Ｗ１、Ｗ２が表示されている。血管断面画像Ｖ２と血管位置情報Ｗ２は、横方向（横軸方向）の同位置に表示される。それにより、断層画像Ｇ中の第２の血管領域の表示位置と、層厚グラフＲＴ中の血管位置情報Ｗ２の表示位置とが互いに対応付けられる。
【０２２７】
眼底画像Ｅｆ′上には、積算画像Ｇ′が表示されている。積算画像Ｇ′は、前述の位置合わせ処理の結果に基づく眼底画像Ｅｆ′上の位置に表示される。また、眼底画像Ｅｆ′上には断面位置画像Ｔが表示されている。断面位置画像Ｔは、断層画像Ｇの円形の断面位置を表している。
【０２２８】
このように、層厚分布情報、血管位置情報、断層画像及び眼底画像Ｅｆ′を表示させることにより、これらの情報をまとめて把握できるという利点がある。
【０２２９】
また、眼底画像Ｅｆ′上に断面位置画像Ｔを表示させることにより、眼底画像Ｅｆ′上における断層画像Ｇの断面位置を容易に把握できる。また、断面位置画像Ｔにより、眼底画像Ｅｆ′上のどの領域の層厚が計測されたかを容易に把握できる。
【０２３０】
［作用・効果］
眼底観察装置１の作用及び効果について説明する。
【０２３１】
眼底観察装置１は、眼底Ｅｆの複数の断層画像Ｇ１〜Ｇｍを形成し、断層画像Ｇ１〜Ｇｍに基づく断層画像Ｇについて、その断面における眼底Ｅｆの層厚分布を演算する。また、眼底観察装置１は、断層画像Ｇ中の血管領域を特定する。更に、眼底観察装置１は、当該層厚分布を表す層厚分布情報を表示するとともに、当該血管領域の位置を表す血管位置情報を当該層厚分布情報上に表示する。
【０２３２】
このような眼底観察装置１によれば、眼底Ｅｆの層厚の解析結果（層厚分布情報）中のどの部分が、血管領域を解析して得られた部分であるかを明示することができる。それにより、血管の位置を層厚の解析結果に反映させることにより、層厚を参照する診断の精度の向上を図ることができる。
【０２３３】
また、眼底観察装置１は、眼底Ｅｆの複数の断層画像Ｇ１〜Ｇｍを形成し、眼底Ｅｆの表面の２次元画像（眼底画像Ｅｆ′）を撮影する。眼底観察装置１は、断層画像Ｇ１〜Ｇｍに基づく断層画像Ｇについて、その断面における眼底Ｅｆの層厚分布を演算する。また、眼底観察装置１は、眼底画像Ｅｆ′に基づいて眼底Ｅｆにおける血管の走行位置を表す走行位置情報を求め、この走行位置情報に基づいて断層画像Ｇ中の血管領域を特定する。更に、眼底観察装置１は、当該層厚分布を表す層厚分布情報を表示するとともに、当該血管領域の位置を表す血管位置情報を層厚分布情報上に表示する。
【０２３４】
このような眼底観察装置１によれば、眼底Ｅｆの層厚の解析結果（層厚分布情報）中のどの部分が、血管領域を解析して得られた部分であるかを明示することができる。それにより、血管の位置を層厚の解析結果に反映させることにより、層厚を参照する診断の精度の向上を図ることができる。
【０２３５】
また、眼底観察装置１は、眼底Ｅｆの複数の断層画像Ｇ１〜Ｇｍに基づいて新たな断面位置の断層画像Ｇを形成し、この新たな断面における眼底Ｅｆの層厚分布情報を求める。また、眼底観察装置１は、新たな断層画像Ｇ中の血管領域を特定する。更に、眼底観察装置１は、新たな血管領域Ｇの位置を表す血管位置情報を、新たな層厚分布を表す層厚分布情報上に表示させるようになっている。
【０２３６】
このような構成とすることにより、断層画像Ｇ１〜Ｇｍの計測範囲（走査領域Ｒ）内の任意の断面位置における層厚分布情報と血管領域とを取得して表示することができる。
【０２３７】
［変形例］
以上に説明した構成は、この発明に係る眼底観察装置を好適に実施するための一例に過ぎない。よって、この発明の要旨の範囲内における任意の変形を適宜に施すことが可能である。
【０２３８】
たとえば、層厚分布情報は、上記実施形態の層厚グラフに限定されるものではなく、或る断面位置における眼底の層の厚さの分布を表現する任意の情報であればよい。
【０２３９】
また、血管位置情報は、上記実施形態の血管位置情報に限定されるものではなく、断層画像中の血管領域に相当する層厚分布情報中の部分を示す任意の情報であればよい。たとえば、血管領域に相当する層厚グラフの部分の表示色を変更するように構成できる。
【０２４０】
また、眼底Ｅｆの層厚分布情報を生成する処理は、上記実施形態に限定されるものではない。同様に、断層画像中の血管領域を特定する処理は、上記実施形態の３つの処理例に限定されるものではない。
【０２４１】
また、眼底画像を撮影しない構成を適用する場合には、眼底画像を撮影するための構成（従来の眼底カメラに相当する構成部分）を設ける必要はなく、ＯＣＴ画像を取得するための構成のみを設ければ十分である。
【０２４２】
上記の実施形態においては、参照ミラー１７４の位置を変更して信号光ＬＳの光路と参照光ＬＲの光路との光路長差を変更しているが、光路長差を変更する手法はこれに限定されるものではない。たとえば、被検眼Ｅに対して眼底カメラユニット１Ａ及びＯＣＴユニット１５０を一体的に移動させて信号光ＬＳの光路長を変更することにより光路長差を変更することができる。また、被検者の頭部を深度方向（ｚ方向）に移動させることにより光路長差を変更することもできる。
【０２４３】
［眼科画像処理装置］
この発明に係る眼科画像処理装置について説明する。眼科画像処理装置は、コンピュータを含んで構成される。眼科画像処理装置は、上記実施形態の演算制御装置２００とほぼ同様の構成を有する。以下、眼科画像処理装置の構成を説明する。
【０２４４】
この発明に係る眼科画像処理装置の第１の構成例について説明する。この眼科画像処理装置は、受付手段、演算手段、特定手段、表示手段及び制御手段を備える。
【０２４５】
受付手段は、外部装置から眼底の断層画像を受け付ける。受付手段は、たとえばＬＡＮカード等のネットワークアダプタを含んで構成され、ＬＡＮ等の通信回線を介して外部装置と通信する機能を有する。外部装置としては、ＮＡＳ等の記憶装置や、ＯＣＴ画像を取得する光画像計測装置などがある。
【０２４６】
演算手段は、受付手段が受け付けた断層画像（又はこの断層画像を基に形成された断層画像）に基づいて、断層画像の断面における眼底の層厚分布を演算する。演算手段は、上記実施形態の層厚分布演算部２３１と同様の構成を有する。
【０２４７】
特定手段は、受付手段が受け付けた断層画像（又はこの断層画像を基に形成された断層画像）に基づいて、断層画像中の血管領域を特定する。特定手段は、上記実施形態の血管領域特定部２３４と同様の構成を有する。
【０２４８】
制御手段は、演算手段により取得された層厚分布を表す層厚分布情報を表示手段に表示させる。更に、制御手段は、特定手段により特定された血管領域の位置を表す血管位置情報を当該層厚分布情報上に表示させる。制御手段は、上記実施形態の制御部２１０と同様の構成を有する。
【０２４９】
このような眼科画像処理装置によれば、眼底の層厚の解析結果（層厚分布情報）中のどの部分が、血管領域を解析して得られた部分であるかを明示することができる。
【０２５０】
この発明に係る眼科画像処理装置の第２の構成例について説明する。この眼科画像処理装置は、第１の構成例と同様に、受付手段、演算手段、特定手段、表示手段及び制御手段を備える。
【０２５１】
受付手段は、眼底の断層画像と前記眼底の表面の２次元画像とを受け付ける。
【０２５２】
特定手段は、当該２次元画像に基づいて眼底における血管の走行位置を表す走行位置情報を求め、この走行位置情報に基づいて断層画像中の血管領域を特定する。
【０２５３】
制御手段は、演算手段により取得された層厚分布を表す層厚分布情報を表示手段に表示させるとともに、特定手段により特定された血管領域の位置を表す血管位置情報を当該層厚分布情報上に表示させる。
【０２５４】
このような眼科画像処理装置によれば、眼底の層厚の解析結果（層厚分布情報）中のどの部分が、血管領域を解析して得られた部分であるかを明示することができる。
【０２５５】
なお、この発明に係る眼科画像処理装置に、上記実施形態で説明した任意の構成を適宜に付加することが可能である。
【０２５６】
［プログラム］
この発明に係るプログラムについて説明する。上記実施形態の制御プログラム２０４ａは、この発明に係るプログラムの一例である。この発明に係るプログラムは、コンピュータに後述の機能を付与させるものである。
【０２５７】
この発明に係るプログラムの第１の例は、眼底の断層画像を受け付ける受付手段と、表示手段とを有するコンピュータを次の各手段として機能させる：（１）断層画像に基づいて断層画像の断面における眼底の層厚分布を演算する演算手段；（２）断層画像に基づいて断層画像中の血管領域を特定する特定手段；（３）当該層厚分布を表す層厚分布情報を表示手段に表示させるとともに、当該血管領域の位置を表す血管位置情報を当該層厚分布情報上に表示させる制御手段。
【０２５８】
このようなプログラムによれば、眼底の層厚の解析結果（層厚分布情報）中のどの部分が、血管領域を解析して得られた部分であるかを明示するようにコンピュータを制御することができる。
【０２５９】
この発明に係るプログラムの第２の例は、眼底の断層画像と眼底表面の２次元画像とを受け付ける受付手段と、表示手段とを有するコンピュータを次の各手段として機能させる：（１）断層画像に基づいて断層画像の断面における眼底の層厚分布を演算する演算手段；（２）当該２次元画像に基づいて眼底における血管の走行位置を表す走行位置情報を求め、この走行位置情報に基づいて断層画像中の血管領域を特定する特定手段；（３）当該層厚分布を表す層厚分布情報を表示手段に表示させるとともに、当該血管領域の位置を表す血管位置情報を当該層厚分布情報上に表示させる制御手段。
【０２６０】
このようなプログラムによれば、眼底の層厚の解析結果（層厚分布情報）中のどの部分が、血管領域を解析して得られた部分であるかを明示するようにコンピュータを制御することができる。
【０２６１】
この発明に係るプログラムを、コンピュータにより読み取り可能な任意の記録媒体に記憶させることができる。この記録媒体としては、たとえば、光ディスク、光磁気ディスク（ＣＤ−ＲＯＭ／ＤＶＤ−ＲＡＭ／ＤＶＤ−ＲＯＭ／ＭＯ等）、磁気記憶媒体（ハードディスク／フロッピー（登録商標）ディスク／ＺＩＰ等）などを用いることが可能である。また、ハードディスクドライブやメモリ等の記憶装置に記憶させることも可能である。更に、インターネットやＬＡＮ等のネットワークを通じてこのプログラムを送信することも可能である。
【図面の簡単な説明】
【０２６２】
【図１】この発明に係る眼底観察装置の実施形態の全体構成の一例を表す概略構成図である。
【図２】この発明に係る眼底観察装置の実施形態における眼底カメラユニットに内蔵される走査ユニットの構成の一例を表す概略構成図である。
【図３】この発明に係る眼底観察装置の実施形態におけるＯＣＴユニットの構成の一例を表す概略構成図である。
【図４】この発明に係る眼底観察装置の実施形態における演算制御装置のハードウェア構成の一例を表す概略ブロック図である。
【図５】この発明に係る眼底観察装置の実施形態の制御系の構成の一例を表す概略ブロック図である。
【図６】この発明に係る眼底観察装置の実施形態の制御系の構成の一例を表す概略ブロック図である。
【図７】この発明に係る眼底観察装置の実施形態により形成される断層画像の態様の一例を表す概略図である。
【図８】この発明に係る眼底観察装置の実施形態による血管位置を特定する処理の一例を説明するための概略説明図である。
【図９】この発明に係る眼底観察装置の実施形態による信号光の走査態様の一例を表す概略図である。図９（Ａ）は、被検眼に対する信号光の入射側から眼底を見たときの信号光の走査態様の一例を表している。また、図９（Ｂ）は、各走査線上の走査点の配列態様の一例を表している。
【図１０】この発明に係る眼底観察装置の実施形態による信号光の走査態様、及び、各走査線に沿って形成される断層画像の態様の一例を表す概略図である。
【図１１】この発明に係る眼底観察装置の実施形態の使用形態の一例を表すフローチャートである。
【図１２】この発明に係る眼底観察装置の実施形態の使用形態の一例を表すフローチャートである。
【図１３】この発明に係る眼底観察装置の実施形態による層厚分布情報及び血管位置情報の表示態様の一例を表す概略図である。
【図１４】この発明に係る眼底観察装置の実施形態による層厚分布情報及び血管位置情報の表示態様の一例を表す概略図である。
【図１５】この発明に係る眼底観察装置の実施形態による層厚分布情報及び血管位置情報の表示態様の一例を表す概略図である。
【符号の説明】
【０２６３】
１  眼底観察装置
１Ａ  眼底カメラユニット
１４１  走査ユニット
１５０  ＯＣＴユニット
１６０  低コヒーレンス光源
１７４  参照ミラー
１８０  スペクトロメータ
１８４  ＣＣＤ
２００  演算制御装置
２１０  制御部
２１１  主制御部
２１２  記憶部
２２０  画像形成部
２３０  画像処理部
２３１  層厚分布演算部
２３２  層位置特定部
２３３  層厚演算部
２３４  血管領域特定部
２４０  ユーザインターフェイス
２４０Ａ  表示部
２４０Ｂ  操作部
【図１】
0004940070.tif 000002
【図２】
0004940070.tif 000003
【図３】
0004940070.tif 000004
【図４】
0004940070.tif 000005
【図５】
0004940070.tif 000006
【図６】
0004940070.tif 000007
【図７】
0004940070.tif 000008
【図８】
0004940070.tif 000009
【図９】
0004940070.tif 000010
【図１０】
0004940070.tif 000011
【図１１】
0004940070.tif 000012
【図１２】
0004940070.tif 000013
【図１３】
0004940070.tif 000014
【図１４】
0004940070.tif 000015
【図１５】
0004940070.tif 000016